(57)【要約】【課題】並行２回線送電線の端子に設けられた送電線保護リレーの動作時における遮断器の不要な動作遅延を低減する。【解決手段】継電機能演算部１１ｄが、Ａ端子又はＢ端子から分岐送電線であるＢ線Ｃ線上の事故点までの距離に比例するインピーダンスのうちのリアクタンス成分値Ｘに基づいて、主保護１５０Ｓ、及び送電線１Ｌ後備保護１４４ＳＸ１信号、及び送電線１Ｌ後備保護１４４ＳＸ２信号および送電線２Ｌ後備保護２４４ＳＸ１信号、及び送電線２Ｌ後備保護２４４ＳＸ２信号を生成する。事故検出シーケンス部１１ｅが、後備保護１４４ＳＸ１信号が無効、且つ後備保護１４４ＳＸ２信号および後備保護２４４ＳＸ２が有効な場合には主保護１５０Ｓ信号を所定時間だけ遅延させてトリップ制御信号を生成し、後備保護１４４ＳＸ２または後備保護２４４ＳＸ２信号が所定時間内に無効になったときには、主保護１５０Ｓトリップ制御信号の生成を中止する。【選択図】図４
2019068571.tif 000002
【特許請求の範囲】
【請求項１】
電気所の第１端子に敷設された第１母線を介して並行に接続され、且つ前記第１端子から遠方の第２端子に接続される送電線１Ｌ、及び送電線２Ｌと、
前記第２端子に敷設され、且つ前記送電線１Ｌ、及び前記送電線２Ｌに接続される第２母線と、を備えた並行２回線送電線において、前記第１端子側、及び前記第２端子側に配置され、前記送電線１Ｌ上にある分岐点から分岐した分岐送電線に事故が発生した場合に、前記事故時に保護すべき前記送電線１Ｌ又は前記送電線２Ｌを選択する回線選択保護継電装置であって、
前記第１母線、前記第２母線から取得した電圧データ、前記送電線１Ｌ、及び前記送電線２Ｌから取得した電流データに基づいて事故を判定する継電機能演算部と、
前記継電機能演算部により判定された事故に係る信号に基づいて、論理処理を行ってトリップ制御信号を生成する事故検出部と、
前記トリップ制御信号に応じて遮断指令を生成する遮断制御部と、を備え、
前記継電機能演算部は、前記第１端子又は前記第２端子から前記分岐送電線上の事故点までの距離に比例するインピーダンスのうちのリアクタンス成分値に基づいて、後備保護第１段保護範囲信号、及び前記後備保護第１段保護範囲信号よりも広範囲の後備保護第２段保護範囲信号を生成し、
前記事故検出部は、前記後備保護第１段保護範囲信号が無効、且つ前記後備保護第２段保護範囲信号が有効な場合には前記後備保護第２段保護範囲信号を所定時間だけ遅延させて前記トリップ制御信号を生成し、前記後備保護第２段保護範囲信号が前記所定時間内に無効になったときには、前記トリップ制御信号の生成を中止することを特徴とする回線選択保護継電装置。
【請求項２】
前記第１端子側に配置された場合に、前記継電機能演算部は、
前記第１端子から前記第２端子までのリアクタンス成分値を基準リアクタンス成分値とし、前記後備保護第１段保護範囲信号は前記第１端子から前記分岐送電線上の前記事故点までのリアクタンス成分値が前記基準リアクタンス成分値以内（７５％〜８５％）にあることを表し、
前記後備保護第２段保護範囲信号は前記第１端子から前記分岐送電線上の前記事故点までのリアクタンス成分値が前記基準リアクタンス成分値を超えた範囲（１２０％〜１５０％）にあることを表すことを特徴とする請求項１記載の回線選択保護継電装置。
【請求項３】
前記第２端子側に配置された場合に、前記継電機能演算部は、
前記第１端子から前記第２端子までのリアクタンス成分値を基準リアクタンス成分値とし、前記後備保護第１段保護範囲信号は前記後備保護第２端子から前記分岐送電線上の前記事故点までのリアクタンス成分値が前記基準リアクタンス成分値以内（７５％〜８５％）にあることを表し、
前記後備保護第２段保護範囲信号は前記第２端子から前記分岐送電線上の前記事故点までのリアクタンス成分値が前記基準リアクタンス成分値を超えた範囲（１２０％〜１５０％）にあることを表すことを特徴とする請求項１記載の回線選択保護継電装置。
【請求項４】
前記継電機能演算部は、前記第１端子から前記第２端子までのインピーダンスを基準インピーダンスとし、前記第１端子又は前記第２端子から前記分岐送電線上の前記事故点までのインピーダンスが前記基準インピーダンスを超えた範囲（２５０％〜３５０％）にあることを表す後備保護第３段保護範囲信号を生成し、
前記事故検出部は、前記後備保護第１段保護範囲信号と、前記後備保護第３段保護範囲信号との論理積が真値に切り替わった場合に、第１時間を経過した後の真値に基づいて後備保護トリップ信号を生成することを特徴とする請求項１記載の回線選択保護継電装置。
【請求項５】
前記継電機能演算部は、前記第１端子から前記第２端子までのインピーダンスを基準インピーダンスとし、前記第１端子又は前記第２端子から前記分岐送電線上の前記事故点までのインピーダンスが前記基準インピーダンスを超えた範囲（２５０％〜３５０％）にあることを表す後備保護第３段保護範囲信号を生成し、
前記事故検出部は、前記後備保護第２段保護範囲信号と、前記後備保護第３段保護範囲信号を第２時間だけ経過させた信号との論理積が真値に切り替わった場合に、前記真値に基づいて後備保護第２段トリップ信号を生成することを特徴とする請求項１記載の回線選択保護継電装置。
【請求項６】
前記継電機能演算部は、前記第１端子から前記第２端子までのインピーダンスを基準インピーダンスとし、前記第１端子又は前記第２端子から前記分岐送電線上の前記事故点までのインピーダンスが前記基準インピーダンスを超えた範囲（２５０％〜３５０％）にあることを表す後備保護第３段保護範囲信号を生成し、
前記事故検出部は、前記後備保護第３段保護範囲信号が真値に切り替わった場合に、第３時間だけ経過させた真値に基づいて後備保護第３段トリップ信号を生成することを特徴とする請求項２記載の回線選択保護継電装置。
【請求項７】
請求項１乃至６の何れか一項記載の回線選択保護継電装置と、
前記第１端子側に配置され、前記送電線１Ｌを遮断可能に前記第１母線に接続する第１遮断器と、
前記第１端子側に配置され、前記送電線２Ｌを遮断可能に前記第１母線に接続する第２遮断器と、
前記第２端子側に配置され、前記送電線１Ｌを遮断可能に前記第２母線に接続する第３遮断器と、
前記第２端子側に配置され、前記送電線２Ｌを遮断可能に前記第２母線に接続する第４遮断器と、
前記送電線１Ｌ上にある分岐点から分岐して接続された分岐送電線と、
前記分岐点から遠方の第３端子の近方側に配置され、前記分岐送電線を遮断可能に接続する第５遮断器と、
前記第３端子の遠方側に配置され、前記分岐送電線を遮断可能に接続する第６遮断器と、を備えた並行２回線送電線システム。
【発明の詳細な説明】
【技術分野】
【０００１】
本発明は、電気所の母線に並行に接続された２系統の送電線や分岐された送電線を保護する回線選択保護継電装置、及び並行２回線送電線保護システムに関する。
【背景技術】
【０００２】
従来、抵抗接地系統の２回線を並行している送電線に対する保護システムにあっては、主に対象となる送電線の保護区間内の保護継電装置に係る情報を相互に交換して保護するＰＣＭ電流差動保護継電装置と、保護継電装置の設置箇所においてのみ保護する回線選択保護継電装置とが採用されている。
主要な電気所間に敷設された送電線を保護するためには、ＰＣＭ電流差動保護継電装置を採用する手法と、低コストの回線選択保護継電装置を採用する手法とがあることが知られている。
【０００３】
並行２回線送電線に対して、回線選択保護継電装置により送電線を保護している系統において、電気事故に起因した不要動作が生じることを防止するための技術として、特許文献１の発明が開示されている。
特許文献１の発明では、下記の代表的な３点の電気事故に対して課題を有している。
特許文献１にあっては、保護範囲外の事故において、分岐した送電線に接続されている電源によって下記のような不要動作が生じていた。
（１）段落［００３５］には、電源端側（Ａ端子側）の外部事故に対して、Ｂ端子に設けられた保護継電装置が送電線１Ｌに内部事故が発生したこととして誤って判断するといった問題があった。
（１−１）図３１（ａ）に示すように、Ａ端子側に外部事故＃Ａが発生した場合に、Ｂ端子に設けられた保護継電装置が送電線の内部事故と判断して送電線１Ｌを遮断するという不要動作があった。
（１−２）Ａ端子に設けられた保護継電装置が外部事故＃Ａにもかかわらず、送電線の内部事故と判断して、送電線１Ｌを遮断するという不要動作があった。
【０００４】
（２）段落［００３６］には、非電源端側であるＢ端子側に外部事故＃Ｂが発生した場合に、Ａ端からの事故電流は送電線１Ｌ、送電線２Ｌに均等に流れるため、Ｂ端子に設けられた保護継電装置に影響しない。
図３１（ｂ）に示すように、Ｂ端子側に外部事故＃Ｂが発生した場合に、Ａ端子からの事故電流は送電線１Ｌ、送電線２Ｌに均等に流れるため、Ａ端子、及びＢ端子とも保護継電装置は不動作となるが、Ｃ端子に電源があるため、Ａ端子、及びＢ端子に対して分流比分の不均等な電流が流れ、保護継電装置は送電線１Ｌに事故が発生したこととして誤って判断するといった問題があった。
（３）段落［００３７］には、送電線２Ｌに内部事故が発生した場合に、送電線１Ｌに内部事故が発生したと誤って判断するといった問題があった。
すなわち、図３１（ｃ）に示すように、Ａ端子に対して至近端に事故＃Ｃが発生した場合に、Ａ端子に設けられた保護継電装置は送電線２Ｌに事故が発生したこととして判断して、ＣＢを遮断（正常動作）する。しかし、事故電流がＢ端子から送電線側１Ｌに回り込み、送電線１ＬのＢ端子側に設けられたＣＢを誤って遮断するといった問題があった。
【０００５】
かかる課題を解決する方法として、各端子にＰＣＭ電流差動保護継電装置を設置しておき、伝送路を介して各端子の電流データを送受信することにより、各回線における電流についての差動演算を行うことにより事故検出を行なうＰＣＭ電流差動保護継電装置を適用する方法がある。
【０００６】
しかしながら、ＰＣＭ電流差動保護継電装置を適用する場合は、各端子に通信設備を設置して端子間に伝送路を構築する必要があると共に、保護継電装置自体も伝送機能を実装したＰＣＭ電流差動保護継電装置とする必要があるため、システム構築のコストが高くなるという問題がある。
【０００７】
特に、これまで回線選択保護継電装置により保護を行っていた送電線に対してＴ分岐電源の分岐点が追加されることにより、既存の各端子の回線選択保護継電装置をすべてＰＣＭ電流差動保護継電装置に取替えて全ての端子に通信設備を用意することが必要となり、保護システムを切替えるためのコストが非常に高くなると言う問題があった。
そこで、特許文献１にあっては、上述した課題を解決するための「並行２回線送電線の保護方式」に関する技術として、並行２回線送電線の片回線に分岐電源が接続された２回線送電線の保護方式において、２回線送電線の各端子にそれぞれ設置され、各端子の母線電圧、送電線電流データを取込んで事故の有無を判定し、事故があると判定されると動作してその事故回線を選択出力する回線選択リレーと、分岐電源が接続された回線を設定する分岐電源設定手段と、回線選択リレーの動作出力と分岐電源設定手段により設定された回線設定出力とが入力され、回線選択リレーの動作出力が分岐電源のある回線の出力か否かを判定し、回線選択リレーの動作出力が分岐電源のある回線の出力であると判定すると動作遅延タイマにより所定時間動作遅延させて、分岐電源のない回線の出力であると判定すると瞬時保護出力として保護出力する時間協調手段とを備えたことが開示されている。
特許文献１の発明にあっては、分岐した送電線上に電源がある場合、動作遅延タイマにより回線選択リレーの動作を所定時間遅延させて保護出力していた。
特許文献１の発明によれば、Ｔ分岐設定（分岐送電線）された回線は、外部事故に対しては効果があった。
【先行技術文献】
【特許文献】
【０００８】
【特許文献１】特許第４６０２２７１号公報
【発明の概要】
【発明が解決しようとする課題】
【０００９】
しかし、特許文献１の発明にあっては、保護区間内に発生した内部事故に対しても、動作遅延タイマが作動するため、事故を除去するのに時間が遅れるといった問題があった。
本発明は、上記に鑑みてなされたもので、その目的としては、並行２回線送電線の保護区間内に発生した内部事故に対しては遮断器の不要な動作遅延を低減し、並行２回線送電線のうちの送電線１Ｌ上の分岐点から分岐された送電線に接続された端子から引出された送電線上での事故があった場合でも、並行２回線送電線の端子に設けられた送電線保護リレーの動作時における遮断器の不要な動作遅延を低減することにある。
【課題を解決するための手段】
【００１０】
上記課題を解決するたに、請求項１記載の発明は、電気所の第１端子に敷設された第１母線を介して並行に接続され、且つ前記第１端子から遠方の第２端子に接続される送電線１Ｌ、及び送電線２Ｌと、前記第２端子に敷設され、且つ前記送電線１Ｌ、及び前記送電線２Ｌに接続される第２母線と、を備えた並行２回線送電線において、前記第１端子側、及び前記第２端子側に配置され、前記送電線１Ｌ上にある分岐点から分岐した分岐送電線に事故が発生した場合に、前記事故時に保護すべき前記送電線１Ｌ又は前記送電線２Ｌを選択する回線選択保護継電装置であって、前記第１母線、前記第２母線から取得した電圧データ、前記送電線１Ｌ、及び前記送電線２Ｌから取得した電流データに基づいて事故を判定する継電機能演算部と、前記継電機能演算部により判定された事故に係る信号に基づいて、論理処理を行ってトリップ制御信号を生成する事故検出部と、前記トリップ制御信号に応じて遮断指令を生成する遮断制御部と、を備え、前記継電機能演算部は、前記第１端子又は前記第２端子から前記分岐送電線上の事故点までの距離に比例するインピーダンスのうちのリアクタンス成分値に基づいて、後備保護第１段保護範囲信号、及び前記後備保護第１段保護範囲信号よりも広範囲の後備保護第２段保護範囲信号を生成し、前記事故検出部は、前記後備保護第１段保護範囲信号が無効、且つ前記後備保護第２段保護範囲信号が有効な場合には前記後備保護第２段保護範囲信号を所定時間だけ遅延させて前記トリップ制御信号を生成し、前記後備保護第２段保護範囲信号が前記所定時間内に無効になったときには、前記トリップ制御信号の生成を中止することを特徴とする。
【発明の効果】
【００１１】
本発明によれば、並行２回線送電線の保護区間内に発生した内部事故に対しては遮断器の不要な動作遅延を低減し、並行２回線送電線のうちの送電線１Ｌ上の分岐点から分岐された送電線に接続された端子から引出された送電線上での事故があった場合でも、並行２回線送電線の端子に設けられた送電線保護リレーの動作時における遮断器の不要な動作遅延を低減することができる。
【図面の簡単な説明】
【００１２】
【図１】本発明の一実施形態に係る並行２回線送電線選択保護システムの構成を示す系統図である。
【図２】本発明の一実施形態に係る回線選択保護継電装置の構成を示すブロック図である。
【図３】図２に示す回線選択保護継電装置の基本動作を説明するための信号の流れを示すフローである。
【図４】Ａ端及びＢ端に配置される回線選択保護継電装置に係る事故検出シーケンス部の論理構成を示す回路図である。
【図５】Ｃ端に配置される保護継電装置に係る事故検出シーケンス部の論理構成を示す回路図である。
【図６】図４に示すタイマの動作を示すタイミングチャートである。
【図７】（ａ）は送電線上に分岐点Ｅがある場合の系統図であり、（ｂ）は送電線のインピーダンスについて説明するための図である。
【図８】本発明の一実施形態に係る並行２回線選択保護システムが対応可能な事故のうち代表的な事故ケースを示す系統図である。
【図９】本発明の一実施形態に係る回線選択保護継電装置が動作するＤＺ１段保護範囲、及びＤＺ２段保護範囲を示す系統図である。
【図１０】各事故に対する回線選択保護継電装置に設けられた距離継電器の動作を示す表で示す図である。
【図１１】図８に示す距離継電器の動作原理を示す図である。
【図１２】（ａ）は図１１に示す距離継電器により検出される線路インピーダンスを示す概要図であり、（ｂ）は、位相角と電圧階級との対応関係を表す表で示す図である。
【図１３】距離継電器により検出されたｘ１信号、ｘ２信号、及びＭ信号に基づいて、第１段トリップ信号、第２段トリップ信号、及び第３段トリップ信号を生成するための後備保護に係る概略的な回路図である。
【図１４】距離継電器が作動するまでに各要因により生じる誤差について説明するための表で示す図である。
【図１５】本発明の一実施形態に係る並行２回線選択保護システムが対応可能な第４事故＃４の応動を示す系統図である。
【図１６】本発明の一実施形態に係る回線選択保護継電装置が対応可能な第４事故＃４に係る動作タイミングを示すタイミングチャートである。
【図１７】図１６に示す各動作タイミングに対して、Ａ端に設けられた回線選択保護継電装置の事故検出シーケンス部による動作を示す真理値を表で示す図である。
【図１８】図１６に示す各動作タイミングに対して、Ｂ端子に設けられた回線選択保護継電装置の事故検出シーケンス部による動作を示す真理値を表で示す図である。
【図１９】本発明の一実施形態に係る並行２回線選択保護システムが対応可能な第５事故＃５の応動を示す系統図である。
【図２０】本発明の一実施形態に係る回線選択保護継電装置が対応可能な第５事故＃５に係る動作タイミングを示すタイミングチャートである。
【図２１】図２０に示す各動作タイミングに対して、Ａ端に設けられた回線選択保護継電装置の事故検出シーケンス部による動作を示す真理値を表で示す図である。
【図２２】図２０に示す各動作タイミングに対して、Ｂ端に設けられた回線選択保護継電装置の事故検出シーケンス部による動作を示す真理値を表で示す図である。
【図２３】本発明の一実施形態に係る並行２回線選択保護システムが対応可能な第６事故＃６の応動を示す系統図である。
【図２４】本発明の一実施形態に係る回線選択保護継電装置が対応可能な第６事故＃６に係る動作タイミングを示すタイミングチャートである。
【図２５】図２４に示す各動作タイミングに対して、Ａ端に設けられた回線選択保護継電装置の事故検出シーケンス部による動作を示す真理値を表で示す図である。
【図２６】図２４に示す各動作タイミングに対して、Ｂ端子に設けられた回線選択保護継電装置の事故検出シーケンス部による動作を示す真理値を表で示す図である。
【図２７】図２４に示す各動作タイミングに対して、Ｃ端子に設けられた回線選択保護継電装置の事故検出シーケンス部による動作を示す真理値を表で示す図である。
【図２８】本発明の一実施形態に係るＡ端子に設けられた回線選択保護継電装置及びＢ端子に設けられた回線選択保護継電装置が対応可能な第３事故＃３に係る動作タイミングを示すタイミングチャートである。
【図２９】本発明の一実施形態に係るＡ端子に設けられた回線選択保護継電装置及びＢ端子に設けられた回線選択保護継電装置が対応可能な第２事故＃２に係る動作タイミングを示すタイミングチャートである。
【図３０】本発明の一実施形態に係るＡ端子に設けられた回線選択保護継電装置及びＢ端子に設けられた回線選択保護継電装置が対応可能な第１事故＃１に係る動作タイミングを示すタイミングチャートである。
【図３１】（ａ）はＡ端子側の外部に事故が発生したことを示す図であり、（ｂ）はＢ端子側の外部に事故が発生したことを示す図であり、（ｃ）はＡ端子に対して至近端に事故が発生したことを示す図である。
【発明を実施するための形態】
【００１３】
以下、本発明を図面に示した実施の形態により詳細に説明する。
本発明は、並行２回線送電線の保護区間内に発生した内部事故に対しては遮断器の不要な動作遅延を低減し、並行２回線送電線のうちの送電線１Ｌ上の分岐点から分岐された送電線に接続された端子から引出された送電線上での事故があった場合でも、並行２回線送電線の端子に設けられた送電線保護リレーの動作時における遮断器の不要な動作遅延を低減するために、以下の構成を有する。
すなわち、本発明の回線選択保護継電装置は、電気所の第１端子に敷設された第１母線を介して並行に接続され、且つ第１端子から遠方の第２端子に接続される送電線１Ｌ、及び送電線２Ｌと、第２端子に敷設され、且つ送電線１Ｌ、及び送電線２Ｌに接続される第２母線と、を備えた並行２回線送電線において、第１端子側、及び第２端子側に配置され、送電線１Ｌ上にある分岐点から分岐した分岐送電線に事故が発生した場合に、事故時に保護すべき送電線１Ｌ又は送電線２Ｌを選択する回線選択保護継電装置であって、第１母線、第２母線から取得した電圧データ、送電線１Ｌ、及び送電線２Ｌから取得した電流データに基づいて事故を判定する継電機能演算部と、継電機能演算部により判定された事故に係る信号に基づいて、論理処理を行ってトリップ制御信号を生成する事故検出部と、トリップ制御信号に応じて遮断指令を生成する遮断制御部と、を備え、継電機能演算部は、第１端子又は第２端子から分岐送電線上の事故点までの距離に比例するインピーダンスのうちのリアクタンス成分値に基づいて、後備保護第１段保護範囲信号、及び後備保護第１段保護範囲信号よりも広範囲の後備保護第２段保護範囲信号を生成し、事故検出部は、後備保護第１段保護範囲信号が無効、且つ送電線１Ｌ及び送電線２Ｌ後備保護第２段保護範囲信号が有効な場合には後備保護第２段保護範囲信号を所定時間だけ遅延させてトリップ制御信号を生成し、送電線１Ｌまたは送送電線２Ｌ後備保護第２段保護範囲信号が所定時間内に無効になったときには、トリップ制御信号の生成を中止することを特徴とする。
以上の構成を備えることにより、並行２回線送電線の保護区間内に発生した内部事故に対しては遮断器の不要な動作遅延を低減し、並行２回線送電線のうちの送電線１Ｌ上の分岐点から分岐された送電線に接続された端子から引出された送電線上での事故があった場合でも、並行２回線送電線の端子に設けられた送電線保護リレーの動作時における遮断器の不要な動作遅延を低減することができる。
上記の本発明の特徴に関して、以下、図面を用いて詳細に説明する。
【００１４】
＜並行２回線送電線保護システムの構成を示す系統図＞
図１は、本発明の一実施形態に係る並行２回線送電線選択保護システムの構成を示す系統図である。
図１は、並行２回線の片回線、例えば符号１Ｌで示す送電線１Ｌ上の分岐点Ｅから分岐して分岐線が接続されている並行２回線送電線を示している。以下、地絡事故を例にとって説明する。
【００１５】
図１において、送電線１Ｌ、及び符号２Ｌで示す送電線２Ｌは、背後に地絡電源１０を有するＡ端子（電源端）、及び非電源のＢ端子（非電源端）の各母線間を連系する送電線であり、Ａ端子側の送電線１Ｌ、送電線２Ｌに遮断器ＣＢ１、ＣＢ２が、Ｂ端子側の送電線１Ｌ、送電線２Ｌには遮断器ＣＢ３、ＣＢ４がそれぞれ設けられ、また送電線１Ｌ上の分岐点Ｅから分岐して分岐線に接続されている。
【００１６】
Ａ端子側には回線選択保護継電装置１１Ａが設置されており、この回線選択保護継電装置１１Ａには変成器ＰＴ１により検出される母線電圧と、送電線１Ｌ、送電線２Ｌに設けられた変流器ＣＴ１、ＣＴ２により検出されるＡ端子側の各回線の電流とがそれぞれ入力される。
【００１７】
また、Ｂ端子側には回線選択保護継電装置１１Ｂが設置されており、この回線選択保護継電装置１１Ｂには変成器ＰＴ２により検出される母線電圧と、送電線１Ｌ、送電線２Ｌに設けられた変流器ＣＴ３、ＣＴ４により検出されるＢ端子側の各回線の電流とがそれぞれ入力される。
【００１８】
Ｃ端子側には従来の保護継電装置１５が設置されており、この保護継電装置１５にはＣ端子母線に設けられた変成器ＰＴ３、及びＣ線に設けられた変流器ＣＴ５により検出されＣ線の電流が入力される。
Ｄ端子側には保護継電装置が設置されておらず、送電線１Ｌから分岐されたＤ線が敷設されている。
【００１９】
＜回線選択保護継電装置の構成＞
次に、図２は本発明の一実施形態に係る回線選択保護継電装置１１Ａの構成を示すブロック図である。
図２においても、母線構成を概略的に示している。図２に示す変成器ＰＴ１は、母線３Ａに配置されている。変成器ＰＴ１は、母線電圧（例えば、１１０ｋＶ）の１次値を検出し、２次値（１１０Ｖ）を出力する。
図２に示す変流器ＣＴ１〜ＣＴ２は、送電線１Ｌ、送電線２Ｌに夫々に配置されている。これらの変流器ＣＴ１〜ＣＴ２は、送電線電流（例えば、６００Ａ）の１次値を検出し、２次値を出力する。
【００２０】
回線選択保護継電装置１１Ａは、第１入力変換器１１ａ、第２入力変換器１１ｂ、Ａ／Ｄ変換器１１ｃ、継電機能演算部１１ｄ、事故検出シーケンス部１１ｅ、Ｄ／Ｏ遮断制御部１１ｆを備えている。
第１入力変換器１１ａは、変成器ＰＴ１が検出した２次値である交流電圧を夫々に入力し、直流電圧に変換する。また、第１入力変換器１１ａは、変流器ＣＴ１が検出した２次値である交流電流を入力し、直流電圧値に変換する。
第２入力変換器１１ｂは、変流器ＣＴ２が検出した２次値である交流電流を入力し、直流電圧値に変換する。
Ａ／Ｄ変換器１１ｃは、第１入力変換器１１ａ及び第２入力変換器１１ｂにより変換された直流電圧、直流電圧をデジタル量に変換する。
【００２１】
継電機能演算部１１ｄは、デジタル入力値を主保護部、後備保護部など各々で目的にあった計算を行う。継電機能演算部１１ｄは、遮断器ＣＢ１、ＣＢ２のバックアップ機能を一体化して備えている。
詳しくは、継電機能演算部１１ｄは、図２に示す距離継電器１４４Ｓ、分岐送電線対策器１５０ＳＢ、地絡方向継電器１６７Ｇ、地絡過電圧継電器１６４Ｖ、短絡回線選択継電器１５０Ｓ、２５０Ｓ、地絡回線選択継電器１５０Ｇ、２５０Ｇ、過電流継電器５０ＳＡ、交流不足電圧継電器２７、地絡過電圧継電器６４Ｖ、距離継電器２４４Ｓ、分岐送電線対策器２５１ＳＢ、地絡方向継電器２６７Ｇ、地絡過電圧継電器２６４Ｖを備えている。
【００２２】
距離継電器１４４Ｓは、母線電圧データおよび送電線１Ｌの電流データを入力量とし、母線電圧データと送電線電流データの比（この比は、継電器のみるインピーダンスと呼ばれ、送電線の距離の電気的尺度である）が所定値以下となったとき送電線１Ｌの短絡事故と判定する。
分岐送電線対策器１５１ＳＢは、Ａ端子から送電線１Ｌを通った分岐点Ｅまでの距離と、Ａ端子から送電線２Ｌを通った分岐点Ｅまでの距離との比を算出し、分岐点Ｅから分岐されたＢ線上に事故（＃４、＃５）が発生した場合に一定値となる１５１ＧＳ信号を出力する。
地絡方向継電器１６７Ｇは、送電線１Ｌの地絡電流データ（零相電流）が一定値以上流れたときに送電線１Ｌの事故と判定する。地絡事故の検出、零相電流データは、零相変流器（ＺＣＴ）で検出する。
地絡過電圧継電器１６４Ｖは、予定値を超える零相母線電圧データが回路に加わった場合に動作する継電器で、送電系統内に地絡事故が発生したことを察知する。
地絡方向継電器１６７Ｇは、地絡過電圧継電器１６４Ｖと組み合わせて送電線１Ｌの地絡事故と判定する。
【００２３】
交流不足電圧継電器２７は、母線電圧データが予定値以下に低下した場合に動作する継電器で、地絡を含んだ短絡事故時に短絡回線選択継電器と組み合わせて使用される。
過電流継電器５０ＳＡは、送電線１Ｌの電流データと送電線２Ｌの電流データとの差を入力量とし、送電線１Ｌの短絡回線選択継電器１５０Ｓまたは送電線２Ｌの短絡回線選択継電器２５０Ｓと組み合わせて使用される。
地絡過電圧継電器６４Ｖは、予定値を超える零相母線電圧が回路に加わった場合に動作する継電器で、送電線１Ｌの地絡回線選択継電器１５０Ｇまたは送電線２Ｌの地絡回線選択継電器２５０Ｇと組み合わせて使用される。
短絡回線選択継電器１５０Ｓは、母線電圧データおよび送電線１Ｌの電流データおよび送電線２Ｌの電流を入力量とし、送電線１Ｌの電流から送電線２Ｌの電流を引いた電流データと母線電圧データの比が所定値以下となったときに送電線１Ｌの事故と判定し、過電流継電器５０ＳＡと組み合わせて動作する。
短絡回線選択継電器２５０Ｓは、母線電圧データおよび送電線１Ｌの電流データおよび送電線２Ｌの電流を入力量とし、送電線２Ｌの電流から送電線１Ｌの電流を引いた電流データと母線電圧データの比が所定値以下となったときに送電線２Ｌの事故と判定し、過電流継電器５０ＳＡと組み合わせて動作する。
【００２４】
地絡回線選択継電器１５０Ｇは、送電線１Ｌの零相電流データおよび送電線２Ｌの零相電流をデータ入力量とし、送電線１Ｌの零相電流から送電線２Ｌの零相電流を引いた零相電流データが所定値以上となったときに送電線２Ｌの事故と判定し、地絡過電圧継電器６４Ｖと組み合わせて動作する。
地絡回線選択継電器２５０Ｇは、送電線１Ｌの零相電流データおよび送電線２Ｌの零相電流をデータ入力量とし、送電線２Ｌの零相電流から送電線１Ｌの零相電流を引いた零相電流データが所定値以上となったときに送電線２Ｌの送事故と判定し、地絡過電圧継電器６４Ｖと組み合わせて動作する。
分岐送電線対策器２５１ＳＢは、送電線２Ｌを監視対象としており、上述した分岐送電線対策器１５１Ｓと同様の機能を有する。
距離継電器２４４Ｓは、母線電圧データおよび送電線２Ｌの電流データを入力量とし、母線電圧データと送電線２Ｌの電流データの比（この比は、継電器のみるインピーダンスと呼ばれ、送電線の距離の電気的尺度である）が所定値以下となったときに送電線２Ｌの事故と判定する。
地絡方向継電器２６７Ｇは、零相電圧データと送電線２Ｌの零相電流データが一定値以上流れたときに送電線２Ｌの事故と判定する。
地絡過電圧継電器２６４Ｖは、送電系統内に地絡事故時に発生する零相電圧データを検出して動作する継電器である。地絡過電圧継電器２６４Ｖは、単体で使用されることもあるが通常、地絡方向継電器と組み合わせて使用される。
【００２５】
事故検出シーケンス部１１ｅは、事故検出を行うための論理処理を行う。なお、事故検出シーケンス部１１ｅの詳細については図４に示す。
Ｄ／Ｏ遮断制御部１１ｆは、事故検出シーケンス部１１ｅから出力された論理演算結果を示すデータを直流出力（トリガ−）に変換し、送電線１Ｌの事故と判定した場合、回線選択継電器から遮断指令を遮断器ＣＢ１に出力する。また、Ｄ／Ｏ遮断制御部１１ｆは、デジタルデータを直流出力（トリガ−）に変換し、送電線２Ｌの事故と判定した場合、回線選択継電器から遮断指令を遮断器ＣＢ２に出力する。
なお、図２に示す継電機能演算部１１ｄ、事故検出シーケンス部１１ｅ、Ｄ／Ｏ遮断制御部１１ｆは、ＲＯＭ（Read Only Memory）、ＲＡＭ（Random Access Memory）、ＣＰＵ（Central Processing Unit）、ＨＤＤ（Hard Disk Drive）により構成されている。ＣＰＵは、ＨＤＤからオペレーティングシステムＯＳを読み出してＲＡＭ上に展開してＯＳを起動し、ＯＳ管理下において、ＨＤＤからプログラム（処理モジュール）を読み出し、各種処理を実行する。なお、継電機能演算部１１ｄに設けられた継電機能についての処理機能は、夫々にソフトウエアモジュールにおいて実行される。
【００２６】
＜回線選択保護継電装置の基本動作＞
図３は、図２に示す回線選択保護継電装置１１Ａの基本動作を説明するための信号の流れを示すフローである。
まず、図２に示すように、母線３Ａに配置されている変成器ＰＴ１は、母線電圧（例えば１１０ｋＶ）の１次値を検出し、２次値（１１０Ｖ）を出力する。また、送電線１Ｌ、送電線２Ｌに夫々に配置されている変流器ＣＴ１、ＣＴ２は、送電線電流（例えば６００Ａ）の１次値を検出し、２次値を夫々に出力する。
次いで、第１入力変換器１１ａは、変成器ＰＴ１が検出した２次値である交流電圧を夫々に入力し、直流電圧に変換する。また、第１入力変換器１１ａは、変流器ＣＴ１が検出した２次値である交流電流を入力し、直流電圧値に変換する。
【００２７】
一方、第２入力変換器１１ｂは、変流器ＣＴ２が検出した２次値である交流電流を入力し、直流電圧値に変換する。
ステップＳ５では、Ａ／Ｄ変換器１１ｃは、第１入力変換器１１ａ及び第２入力変換器１１ｂにより変換された直流電圧を入力し、所定のサンプリング周波数でサンプリングしてデジタル量に変換する。
この結果、母線３Ａに配置されている変成器ＰＴ１により検出された後の２次値に対応するデータ、及び送電線１Ｌ、送電線２Ｌに夫々に配置されている変流器ＣＴ１、ＣＴ２により検出された後の２次値に対応するデータが継電機能演算部１１ｄに入力される。
【００２８】
次いで、ステップＳ１０では、継電機能演算部１１ｄは、デジタル入力値を主保護部、後備保護部など各々で目的にあった計算を行う。
すなわち、継電機能演算部１１ｄでは、上述した各種の継電機能により演算処理が行われ、検出信号が事故検出シーケンス部１１ｅに出力される。
【００２９】
次いで、ステップＳ１５では、事故検出シーケンス部１１ｅによる故障検出処理による計算結果として、保護動作を示す結果があるか否かを判断する。
ここでいう保護動作とは、上述した各種の継電機能による動作である。計算結果として保護動作を示す結果がある場合にステップＳ２０に進む。一方、計算結果として保護動作を示す結果がない場合にステップＳ５に戻り、上述した処理を繰り返す。
【００３０】
次いで、ステップＳ２０では、計算結果として保護動作を示す結果がある場合、Ｄ／Ｏ遮断制御部１１ｆは、デジタルデータを直流出力（トリガ）に変換し、送電線１Ｌの事故と判定した場合、遮断指令を遮断器ＣＢ１に出力する、送電線２Ｌの事故と判定した場合、遮断指令を遮断器ＣＢ２に出力する。
次いで、Ｄ／Ｏ遮断制御部１１ｆから遮断指令を受け付けた遮断器ＣＢ１は、送電線１Ｌと母線３Ａとの接続を遮断する。一方、Ｄ／Ｏ遮断制御部１１ｆから遮断指令を受け付けた遮断器ＣＢ２は、送電線２Ｌと母線３Ａとの接続を遮断する。
【００３１】
＜事故検出シーケンス部の構成＞
次に、図４は、Ａ端及びＢ端に配置される回線選択保護継電装置１１Ａ、１１Ｂに係る事故検出シーケンス部の論理構成を示す回路図であり、詳しくは、短絡事故において送電線１Ｌの後備保護、送電線１Ｌ及び送電線２Ｌの主保護、送電線２Ｌの後備保護、地絡事故において送電線１Ｌ及び送電線２Ｌの主保護に係る事故検出シーケンス部１１ｅの論理構成を示す回路図である。
図２に示す事故検出シーケンス部１１ｅは、図２に示す継電機能演算部１１ｄによる各種の継電機能による演算結果に基づいて、短絡故障検出処理及び地絡故障検出処理を行い、短絡故障検出処理及び地絡故障検出処理による計算結果として保護動作を必要とする場合に、Ｄ／Ｏ遮断制御部１１ｆに制御信号を出力する。
分岐対策使用信号（Ｓ）は、事故検出シーケンス部１１ｅの内部論理回路を使用するか否かを指示するスイッチ信号であり、分岐送電線に対して内部論理回路を使用する場合は論理「１」が、分岐送電線がない場合は内部論理回路を使用しないので論理「０」が設定され、ＡＮＤ１５、ＡＮＤ１４、ＩＮＶ１、ＡＮＤ２４及びＡＮＤ２５に入力される。
【００３２】
＜後備保護に係る事故検出シーケンス部の構成＞
まず、図４に示す送電線１Ｌの短絡事故において送電線１Ｌの後備保護に係る事故検出シーケンス部１１ｅの構成について説明する。
ＡＮＤ３１は、距離継電器１４４Ｓから出力される１４４ＳＸ２信号に接続され、タイマ１４４ＳＴ２の出力に接続され、両者が論理「１」である場合に、論理「１」をＯＲ３に出力する。
タイマ１４４ＳＴ２は、距離継電器１４４Ｓから出力される１４４ＳＭ信号に接続され、論理「１」が入力されるとタイマを起動して設定時間（例えば、０．４〜０．８ｓ程度）後に論理「１」をＡＮＤ３１に出力する。
タイマ１４４ＳＴ３は、１４４ＳＭ信号に接続され、論理「１」が入力されるとタイマを起動して設定時間（例えば、１．５ｓ程度）後に論理「１」をＯＲ３に出力する。
ＡＮＤ３２は、距離継電器１４４Ｓから出力される１４４ＳＸ１信号に接続され、１４４ＳＭ信号に接続され、両者が論理「１」である場合に、論理「１」をＯＲ３、ＩＮＶ１１、ＡＮＤ１１に出力する。
ＡＮＤ１２は、１４４ＳＸ２信号に接続され、１４４ＳＭに接続され、両者が論理「１」である場合に、論理「１」をＡＮＤ１３、ＩＮＶ１２に出力する。
【００３３】
ＩＮＶ１２は、ＡＮＤ１２の出力端子に接続され、入力される論理値を反転させてＡＮＤ１１に出力する。
ＩＮＶ１１は、ＡＮＤ３２の出力端子に接続され、入力される論理値を反転させてＡＮＤ１３に出力する。
ＡＮＤ１３は、ＡＮＤ１２の出力端子に接続され、ＩＮＶ１１の出力端子に接続され、両者が論理「１」である場合に、論理「１」をＡＮＤ０、ＡＮＤ１５に出力する。
ＯＲ３は、ＡＮＤ３１の出力端子に接続され、タイマ１４４ＳＴ３の出力端子に接続され、ＡＮＤ３２の出力端子に接続され、少なくとも１つの入力信号の論理「１」である場合に、論理「１」をＯＲ１に出力する。
ＡＮＤ１１は、ＡＮＤ３２の出力端子に接続され、ＩＮＶ１２の出力端子に接続され、両者が論理「１」である場合に、論理「１」をＡＮＤ１４に出力する。
【００３４】
＜主保護に係る事故検出シーケンス部の構成＞
図４に示す送電線１Ｌの短絡事故において送電線１Ｌの主保護に係る事故検出シーケンス部１１ｅの構成について説明する。
ＡＮＤ３３は、１５０Ｓ信号に接続され、５０ＳＡ信号に接続され、両者が論理「１」である場合に、論理「１」をＡＮＤ３９に出力する。
ＡＮＤ３７は、送電線１Ｌに設置された遮断器ＣＢ１が入り状態にあることを表す１Ｌ−ＣＢ入信号が入力され、且つ、送電線２Ｌに設置された遮断器ＣＢ２が入り状態にあることを表す２Ｌ−ＣＢ入信号が入力され、両者が論理「１」である場合に、論理「１」をＡＮＤ３８に出力する。
ＡＮＤ３４は、５０ＳＡ信号に接続され、２５０Ｓ信号に接続され、両者が論理「１」である場合に、論理「１」をＡＮＤ４０に出力する。
ＡＮＤ３８は、４３−５０使用信号に接続され、ＡＮＤ３７の出力端子に接続され、両者が論理「１」である場合に、論理「１」をＡＮＤ３９、ＡＮＤ４０、ＡＮＤ４５、ＡＮＤ４６に出力する。
ＡＮＤ３９は、ＡＮＤ３３の出力端子に接続され、ＡＮＤ３８の出力端子に接続され、両者が論理「１」である場合に、論理「１」をＡＮＤ１５、ＡＮＤ１４、ＡＮＤ１７に出力する。
ＡＮＤ４０は、ＡＮＤ３８の出力端子に接続され、ＡＮＤ３４の出力端子に接続され、両者が論理「１」である場合に、論理「１」をＡＮＤ２７、ＡＮＤ２４、ＡＮＤ２５に出力する。
【００３５】
＜後備保護に係る事故検出シーケンス部の構成＞
図４に示す送電線２Ｌの短絡事故において送電線２Ｌの後備保護に係る事故検出シーケンス部１１ｅの構成について説明する。
ＡＮＤ３５は、距離継電器２４４Ｓから出力される２４４ＳＸ１信号に接続され、距離継電器２４４Ｓから出力される２４４ＳＭ信号に接続され、両者が論理「１」である場合に、論理「１」をＯＲ４、ＩＮＶ２１、ＡＮＤ２１に出力する。
タイマ２４４ＳＴ３は、２４４ＳＭ信号に接続され、論理「１」が入力されるとタイマを起動して設定時間（例えば、１．５ｓ程度）後に論理「１」をＯＲ４に出力する。
タイマ２４４ＳＴ２は、２４４ＳＭ信号に接続され、論理「１」が入力されるとタイマを起動して設定時間（例えば、０．４〜０．８ｓ程度）後に論理「１」をＡＮＤ３６に出力する。
ＡＮＤ３６は、距離継電器２４４Ｓから出力される２４４ＳＸ２信号に接続され、タイマ２４４ＳＴ２の出力に接続され、両者が論理「１」である場合に、論理「１」をＯＲ４に出力する。
ＡＮＤ２２は、２４４ＳＸ２信号に接続され、２４４ＳＭに接続され、両者が論理「１」である場合に、論理「１」をＡＮＤ２３、ＩＮＶ２２に出力する。
【００３６】
ＩＮＶ２２は、ＡＮＤ２２の出力端子に接続され、入力される論理値を反転させてＡＮＤ２１に出力する。
ＩＮＶ２１は、ＡＮＤ３５の出力端子に接続され、入力される論理値を反転させてＡＮＤ２３に出力する。
ＯＲ４は、ＡＮＤ３５の出力端子に接続され、タイマ２４４ＳＴ３の出力端子に接続され、ＡＮＤ３６の出力端子に接続され、少なくとも１つの入力信号の論理「１」である場合に、論理「１」をＯＲ２に出力する。
ＡＮＤ２１は、ＡＮＤ３５の出力端子に接続され、ＩＮＶ２２の出力端子に接続され、両者が論理「１」である場合に、論理「１」をＡＮＤ２４に出力する。
ＡＮＤ２３は、ＡＮＤ２２の出力端子に接続され、ＩＮＶ２１の出力端子に接続され、両者が論理「１」である場合に、論理「１」をＡＮＤ０、ＡＮＤ２５に出力する。
【００３７】
＜送電線１Ｌトリップ信号［短絡］に係る事故検出シーケンス部の構成＞
図４に示す短絡事故において第１回線送電線トリップ信号[短絡]に係る事故検出シーケンス部１１ｅの構成について説明する。
ＡＮＤ０は、ＡＮＤ１３の出力端子に接続され、ＡＮＤ２３の出力端子に接続され、両者が論理「１」である場合に、論理「１」をＡＮＤ１５、ＩＮＶ２、ＡＮＤ２５に出力する。
ＡＮＤ１５は、分岐対策使用信号（Ｓ）に接続され、ＡＮＤ０の出力端子に接続され、ＡＮＤ１３の出力端子に接続され、ＡＮＤ３９の出力端子に接続され、全ての入力信号が論理「１」である場合に、論理「１」をＡＮＤ１６に出力する。
ＡＮＤ１４は、ＡＮＤ１１の出力端子に接続され、分岐対策使用信号（Ｓ）に接続され、ＡＮＤ３９の出力端子に接続され、ＡＮＤ３９の出力端子に接続され、全ての入力信号が論理「１」である場合に、論理「１」をＯＲ１に出力する。
ＩＮＶ１は、分岐対策使用信号（Ｓ）に接続され、入力される論理値を反転させてＯＲ０に出力する。
ＩＮＶ２は、ＡＮＤ０の出力端子に接続され、入力される論理値を反転させてＯＲ０に出力する。
ＯＲ０は、ＩＮＶ１に接続され、ＩＮＶ２に接続され、少なくとも１つの入力信号の論理「１」である場合に、論理「１」をＡＮＤ１７、ＡＮＤ２７に出力する。
ＡＮＤ１７は、ＡＮＤ３９の出力端子に接続され、ＯＲ０の出力端子に接続され、両者が論理「１」である場合に、論理「１」をＯＲ１に出力する。
【００３８】
ＡＮＤ１６は、５１ＧＳ信号に接続され、ＡＮＤ１５の出力端子に接続され、両者が論理「１」である場合に、論理「１」をタイマ１５０ＳＴＢに出力する。
ここで、分岐送電線対策器１５１ＳＢにより生成される５１ＧＳ信号は、上述したように、予め設定していた値となった場合に信号として論理「１」が発生し、一方、ＡＮＤ１６は５１ＧＳ信号が論理「１」に切り替わっている場合にのみＡＮＤ１５から出力される信号を通過させるので、後備保護系の１４４ＳＸ２信号と１４４ＳＭ信号とが共に論理「１」にＡＮＤ１２により生成された信号に対して、事故点をさらに限定することができる。
なお、分岐送電線対策器１５１ＳＢにより生成される５１ＧＳ信号を用いない場合は、ＡＮＤ１６、ＡＮＤ２６の５１ＧＳ信号の入力端子を論理「１」に固定すれば良い。
タイマ１５０ＳＴＢは、ＡＮＤ１６の出力端子に接続され、論理「１」が入力されるとタイマを起動して設定時間（例えば、０〜０．０５ｓ程度）後に論理「１」をＯＲ１に出力する。
ＯＲ１は、タイマ１５０ＳＴＢの出力端子に接続され、ＡＮＤ１４の出力端子に接続され、ＯＲ３の出力端子に接続され、ＡＮＤ１７の出力端子に接続され、少なくとも１つの入力信号の論理「１」である場合に、論理「１」を送電線１Ｌトリップ信号［短絡］端子に出力され、送電線１Ｌトリップ信号をＤ／Ｏ遮断制御部１１ｆに出力する。
【００３９】
＜送電線トリップ信号［短絡］に係る事故検出シーケンス部の構成＞
図４に示す短絡事故において送電線トリップ信号[短絡]に係る事故検出シーケンス部１１ｅの構成について説明する。
ＡＮＤ２７は、ＡＮＤ４０の出力端子に接続され、ＯＲ０の出力端子に接続され、両者が論理「１」である場合に、論理「１」をＯＲ２に出力する。
ＡＮＤ２４は、ＡＮＤ４０の出力端子に接続され、分岐対策使用信号（Ｓ）に接続され、ＡＮＤ２１の出力端子に接続され、全ての入力信号が論理「１」である場合に、論理「１」をＯＲ２に出力する。
ＡＮＤ２５は、ＡＮＤ４０の出力端子に接続され、ＡＮＤ２３の出力端子に接続され、ＡＮＤ０の出力端子に接続され、分岐対策使用信号（Ｓ）に接続され、全ての入力信号が論理「１」である場合に、論理「１」をＡＮＤ２６に出力する。
ＡＮＤ２６は、５１ＧＳ信号に接続され、ＡＮＤ２５の出力端子に接続され、両者が論理「１」である場合に、論理「１」をタイマ２５０ＳＴＢに出力する。
タイマ２５０ＳＴＢは、ＡＮＤ２６の出力端子に接続され、論理「１」が入力されるとタイマを起動して設定時間（例えば、０〜０．０５ｓ程度）後に論理「１」をＯＲ２に出力する。
ＯＲ２は、ＡＮＤ２７の出力端子に接続され、ＯＲ４の出力端子に接続され、ＡＮＤ２４の出力端子に接続され、タイマ２５０ＳＴＢの出力端子に接続され、少なくとも１つの入力信号の論理「１」である場合に、論理「１」を送電線２Ｌトリップ信号［短絡］端子に出力され、送電線１Ｌトリップ信号をＤ／Ｏ遮断制御部１１ｆに出力する。
【００４０】
＜送電線１Ｌトリップ信号［地絡］に係る事故検出シーケンス部の構成＞
図４に示す地絡事故において送電線１Ｌトリップ信号[地絡]に係る事故検出シーケンス部１１ｅの構成について説明する。
ＡＮＤ４１は、１５０Ｇ信号、６４Ｖ信号に接続され、両者が論理「１」である場合に、論理「１」をＡＮＤ４２に出力する。
ＡＮＤ４３は、６４Ｖ信号、２５０Ｇ信号に接続され、両者が論理「１」である場合に、論理「１」をＡＮＤ４４に出力する。
タイマ２７Ｔは、２７信号に接続され、２７信号として論理「１」が入力されるとタイマを起動して設定時間後（例えば、０．０４ｓ程度）に論理「１」をＩＮＶ３に出力する。ＩＮＶ３は、タイマ２７Ｔの出力端子に接続され、タイマ２７Ｔから入力される論理値を反転させて論理「０」をＡＮＤ４２、及びＡＮＤ４４に出力する。
ＡＮＤ４２は、ＡＮＤ４１の出力端子に接続され、ＩＮＶ３の出力端子に接続され、両者が論理「１」である場合に、論理「１」をタイマ１５０ＧＴに出力する。タイマ１５０ＧＴは、ＡＮＤ４２の出力端子に接続され、ＡＮＤ４２から論理「１」が入力されるとタイマを起動して設定時間後（例えば、０．０４ｓ程度）に論理「１」をＡＮＤ４５に出力する。
【００４１】
ＡＮＤ４４は、ＡＮＤ４３の出力端子に接続され、ＩＮＶ３の出力端子に接続され、両者が論理「１」である場合に、論理「１」をタイマ２５０ＧＴに出力する。タイマ２５０ＧＴは、ＡＮＤ４４の出力端子に接続され、ＡＮＤ４４から論理「１」が入力されるとタイマを起動して設定時間後（例えば、０．０６ｓ程度）に論理「１」をＡＮＤ４６に出力する。
ＩＮＶ４は、５１ＧＳ信号に接続され、５１ＧＳ信号の論理値を反転させた論理値をＡＮＤ４７及びＡＮＤ４９に出力する。
ＡＮＤ４５は、タイマ１５０ＧＴの出力端子に接続され、ＡＮＤ３８の出力端子に接続され、両者が論理「１」である場合に、論理「１」をＡＮＤ４７、ＡＮＤ４８に出力する。
ＡＮＤ４６は、ＡＮＤ３８の出力端子に接続され、タイマ２５０ＧＴの出力端子に接続され、両者が論理「１」である場合に、論理「１」をＡＮＤ４９、ＡＮＤ５０に出力する。
ＡＮＤ４７は、ＩＮＶ４の出力端子に接続され、ＡＮＤ４５の出力端子に接続され、両者が論理「１」である場合に、論理「１」をＡＮＤ５１に出力する。
ＡＮＤ４８は、ＡＮＤ４５の出力端子に接続され、５１ＧＳ信号に接続され、両者が論理「１」である場合に、論理「１」を１５０ＧＴＢに出力する。
【００４２】
ＡＮＤ４９は、ＩＮＶ４の出力端子に接続され、ＡＮＤ４６の出力端子に接続され、両者が論理「１」である場合に、論理「１」をＡＮＤ５２に出力する。
ＡＮＤ５０は、ＡＮＤ４６の出力端子に接続され、５１ＧＳ信号に接続され、両者が論理「１」である場合に、論理「１」を２５０ＧＴＢに出力する。
タイマ１５０ＧＴＢは、ＡＮＤ４８の出力端子に接続され、ＡＮＤ４８から論理「１」が入力されるとタイマを起動して設定時間後（例えば、０．０６ｓ程度）に論理「１」をＡＮＤ５１に出力する。
ＡＮＤ５１は、ＡＮＤ４７の出力端子に接続され、タイマ１５０ＧＴＢの出力端子に接続され、両者が論理「１」を出力した場合に送電線１Ｌトリップ信号[地絡]をＤ／Ｏ遮断制御部１１ｆに出力する。
タイマ２５０ＧＴＢは、ＡＮＤ４８の出力端子に接続され、ＡＮＤ５０から論理「１」が入力されるとタイマを起動して設定時間後（例えば、０．０６ｓ程度）に論理「１」をＡＮＤ５２に出力する。
ＡＮＤ５２は、ＡＮＤ４９の出力端子に接続され、タイマ２５０ＧＴＢの出力端子に接続され、両者が論理「１」を出力した場合に送電線２Ｌトリップ信号[地絡]をＤ／Ｏ遮断制御部１１ｆに出力する。
【００４３】
＜２７信号＞
本実施形態において、図４に示す２７信号は、回線選択保護継電装置１１Ａ内に設けられた交流不足電圧継電器２７がＯＮしたことを示す信号であり、送電線内に短絡事故（三相送電線における電線間でのショート）が発生した場合に、電圧が低下するのでこの交流不足電圧継電器２７がＯＮする。
交流不足電圧継電器２７が動作すると、継電機能演算部１１ｄでは短絡が発生したこととして認識されるため、地絡系の継電器による動作をロックする役割がある。
本実施形態は、地絡事故（送電線がアースされた状態）に関するものであり、一相とのアースを地絡系の継電器が担務し、二相がアースするものは、二相地絡といわれるものでショートとアースが合わさったもので、短絡検出系の継電器が事故を除去する。
【００４４】
＜事故検出シーケンス部の構成＞
次に、図５は、Ｃ端に配置される保護継電装置１５に係る事故検出シーケンス部の論理構成を示す回路図であり、詳しくは、短絡事故において送電線の後備保護に係る事故検出シーケンス部１１ｅの論理構成を示す回路図である。
図５に示す事故検出シーケンス部１１ｅは、図２に示す継電機能演算部１１ｄによる各種の継電機能による演算結果に基づいて、短絡故障検出処理を行い、短絡故障検出処理による計算結果として保護動作を必要とする場合に、Ｄ／Ｏ遮断制御部１１ｆに制御信号を出力する。
ＡＮＤ６１は、４４ＳＸ２信号に接続され、タイマ４４ＳＴ２の出力に接続され、両者が論理「１」である場合に、論理「１」をＯＲ１１に出力する。
タイマ４４ＳＴ２は、４４ＳＭ信号に接続され、論理「１」が入力されるとタイマを起動して設定時間（例えば、０．４〜０．８ｓ程度）後に論理「１」をＡＮＤ６１に出力する。
タイマ４４ＳＴ３は、４４ＳＭ信号に接続され、論理「１」が入力されるとタイマを起動して設定時間（例えば、１．５ｓ程度）後に論理「１」をＯＲ１１に出力する。
ＡＮＤ６２は、４４ＳＭ信号に接続され、４４ＳＸ１信号に接続され、両者が論理「１」である場合に、論理「１」をＯＲ１１に出力する。
ＯＲ１１は、ＡＮＤ６１に接続され、タイマ４４ＳＴ３に接続され、ＡＮＤ６２に接続され、少なくとも１つの入力信号が論理「１」である場合に、論理「１」を出力し、Ｂ線トリップ信号[短絡]をＤ／Ｏ遮断制御部１５ｆに出力する。
【００４５】
＜タイマＴ４の動作＞
次に、図６は、図４に示すタイマ２７Ｔの動作を示すタイミングチャートである。
タイマ２７Ｔは、交流不足電圧継電器２７から論理「１」の２７信号が入力すると、設定時間が経過した後にＯＮして論理「１」を出力する。
【００４６】
＜５１ＧＳ信号＞
次に、図７（ａ）（ｂ）は、分岐送電線対策器１５１ＳＢにより生成される５１ＧＳ信号について説明するための模式図である。図６（ａ）は、送電線１Ｌ上に分岐点Ｅがある場合の系統図であり、図６（ｂ）は、送電線のインピーダンスについて説明するための図である。
図６（ａ）に示すように、送電線１Ｌ上にある分岐点Ｅから分岐してＢ線及びＣ端子を通過するＣ線が敷設されている。
送電線のインピーダンスは、送電線の距離に比例し、電流比に比例する。
このため、図６（ｂ）に示すように、送電線１Ｌ上に分岐点Ｅがあった場合、Ａ端子から分岐点Ｅまでの距離は、Ａ端子からＢ端子の距離を“「１」”とした場合に、Ａ端子から送電線１Ｌを通った分岐点Ｅまでの距離は、Ｘ（０≦Ｘ≦１）であり、一方、Ａ端子から送電線２Ｌを通りＢ端子を経由して送電線１Ｌを通った分岐点Ｅまでの距離は、１＋（１−Ｘ）（０≦Ｘ≦１）である。
【００４７】
2019068571.tif 000003
式（１）
【００４８】
従って、式（１）により算出された比｜１＋（１−Ｘ）｜／｜Ｘ｜は、分岐点Ｅから分岐されたＢ線上に事故（＃４、＃５）が発生した場合に５１ＧＳ信号は一定値になる。この際、５１ＧＳ信号が予め設定していた値となった場合に信号として論理「１」が発生する。
【００４９】
＜代表的な事故ケース＞
次に、図８は、本発明の一実施形態に係る並行２回線選択保護システムが対応可能な事故のうち代表的な事故ケースを示す系統図である。
図７において、第１事故＃１は、並行２回線の送電線１Ｌ上の中間点の近方において発生したこととする。
第２事故＃２は、並行２回線の送電線１Ｌ上の遮断器ＣＢ３の近方で発生したこととする。
第３事故＃３は、並行２回線の送電線１Ｌ上の遮断器ＣＢ１の近方で発生したこととする。
【００５０】
第４事故＃４は、並行２回線の送電線１Ｌ上の分岐点Ｅから分岐したＢ線上にある遮断器ＣＢ５よりも近方側で発生したこととする。
第４事故＃４では、Ａ線の送電線１Ｌを保護するための主保護リレーは、Ｅ点から分岐した送電線Ｂ線に発生する事故の保護も行うが、ＤＺ１段保護範囲２３Ａ１の場合には時限回路を通過させずに主保護リレーで遮断器ＣＢ１および遮断器ＣＢ３を遮断する。
【００５１】
第５事故＃５は、並行２回線の送電線１Ｌ上の分岐点Ｅから分岐したＢ線上にあり、第４事故＃４よりもより遮断器ＣＢ５の近方側で発生したこととする。
第５事故＃５では、Ａ線の送電線１Ｌを保護するための距離継電器１４４Ｓは、Ｅ点から分岐した送電線Ｂ線に発生する事故の対策によりＤＺ２段保護範囲２１Ａ２の場合、整定時限後に遮断器ＣＢ１および遮断器ＣＢ３を遮断する。
なお、図８に示すＤＺ（Ｄ：距離(distance)、Ｚ：インピーダンス）は距離リレーであり距離継電器１４４Ｓを表す。図８に示すＳＳ（Ｓ：回線選択(select)、Ｓ：短絡(short)）は短絡回線選択リレーであり、１５０Ｓを表す。また、ＤＺ１段保護範囲２３Ａは距離継電器１４４Ｓの一段動作域を表し、ＤＺ２段保護範囲２１Ａは距離継電器１４４Ｓの二段動作域を表す。
【００５２】
第６事故＃６は、Ｂ線上の次区間であるＣ線に設けられた遮断器ＣＢ６よりも遠方で発生したこととする。
第６事故＃６では、Ａ端Ｂ端の主保護は起動するものの、Ａ端Ｂ端の５１ＧＳ信号が動作して論理「１」を出力すると、タイマが起動して設定時間までカウントを行う。その間、Ｃ線を保護する距離継電器が遮断器ＣＢ６を遮断してＡ端Ｂ端の主保護は復帰するため、Ｃ端に設けられたトランスＴｒとＤ端は停電しない。
【００５３】
＜ＤＺ１段保護範囲、ＤＺ２段保護範囲＞
次に、図９は、本発明の一実施形態に係る回線選択保護継電装置１１Ａが動作するＤＺ１段保護範囲２３Ａ、及びＤＺ２段保護範囲２１Ａを示す系統図である。
図９に示すＤＺ１段保護範囲２３Ａ１は、Ａ端の送電線１Ｌを保護する距離継電器１４４Ｓから出力される１４４ＳＸ１信号が検知可能な保護範囲であり、Ａ端から第３事故＃３の地点、Ｅ点を含む範囲をいい、ＤＺ１段保護範囲信号１４４ＳＸ１が有効時に論理「１」となる。
ＤＺ２段保護範囲２１Ａ１は、距離継電器１４４Ｓから出力される１４４ＳＸ２信号が検知可能な保護範囲であり、Ａ端から第２事故＃２の地点、Ｅ点、第４事故＃４の地点、第５事故＃５の地点、Ｈ点、第６事故＃６の地点を含む範囲をいい、ＤＺ２段保護範囲信号１４４ＳＸ２が有効時に論理「１」となる。
ＤＺ１段保護範囲２３Ａ２は、Ａ端の送電線２Ｌを保護する距離継電器２４４Ｓから出力される２４４ＳＸ１信号が検知可能な保護範囲であり、Ａ端からＢ端に至る中間点を含む範囲をいい、ＤＺ１段保護範囲信号である２４４ＳＸ１信号が有効時に論理「１」となる。
ＤＺ２段保護範囲２１Ａ２は、距離継電器２４４Ｓから出力される２４４ＳＸ２信号が検知可能な保護範囲であり、Ａ端からＢ端を含み、第２事故＃２の地点、Ｅ点、第４事故＃４の地点、第５事故＃５の地点、Ｈ点、第６事故＃６の地点を超える範囲をいい、ＤＺ２段保護範囲信号である２４４ＳＸ２信号が有効時に論理「１」となる。
【００５４】
上述したＤＺ１段保護範囲２３Ａは、送電線１Ｌであれば１４４ＳＸ１（送電線２Ｌであれば２４４ＳＸ１）を整定する。一段整定は、通常、至近電気所までの線路リアクタンスの８０〜８５％を整定する。
Ａ端の送電線１Ｌを保護する距離継電器１４４Ｓでは、最近距離にある電気所がC端であれば、Ｃ端までの線路リアクタンス８０〜８５％を整定する。これは、保護区間内（Ａ端−Ｂ端−Ｃ端）の事故において、線路定数（線路リアクタンスは、実測できないので計算値にて算出する）の計算誤差と電気入力の変成器（ＣＴやＰＴ）の入力誤差、リレー装置自体の誤差を含めて考慮しても間違いなく保護区間内と判断できる。（第一段は、次区間Ｃ線事故と判断してはいけない）
１４４ＳＸ１整定値＝線路リアクタンス−誤差            式（２）
【００５５】
ＤＺ２段保護範囲２１Ａは、距離継電器１４４Ｓから出力される１４４ＳＸ２信号が有効な範囲（送電線２Ｌであれば２４４ＳＸ２信号）を整定し、最長距離にある電気所までの送電線リアクタンスの１２０〜１５０％を整定する。距離継電器１４４Ｓでは、最長距離にある電気所がB端であれば、Ｂ端までの送電線リアクタンス１２０〜１５０％を整定する。
ここで、２４４ＳＸ１信号の整定値は、上述した誤差を含めて考慮して判断する。
２４４ＳＸ２信号の整定値  ＝  線路リアクタンス  ＋  誤差      式（３）
ＤＺ３段保護範囲は、距離継電器１４４Ｓから出力される１４４ＳＭ信号が有効な範囲（送電線２Ｌであれば２４４ＳＭ信号）を整定し、最長距離にある電気所までの送電線インピーダンスの２５０〜３５０％を整定する。Ａ端の送電線１Ｌを保護する距離継電器１４４Ｓでは、最長距離にある電気所がB端であれば、Ｂ端までの送電線インピーダンス２５０〜３５０％を整定する。
なお、ＤＺ３段保護範囲は、Ａ端の送電線１Ｌを保護する距離継電器１４４Ｓが、隣の送電線２Ｌに発生した事故に起因して送電線２Ｌを保護する距離継電器２４４Ｓが不動作状態である場合を考慮したバックアップ対策を行う範囲である。
【００５６】
＜距離継電器１４４Ｓの動作＞
次に、図１０は、各事故に対する回線選択保護継電装置１１Ａに設けられた距離継電器１４４Ｓの動作を示す表で示す図である。
送電線１Ｌについて、送電線１Ｌを保護する距離継電器１４４Ｓから出力される１４４ＳＸ１信号は、事故＃１では動作してＣＢ遮断を行い、事故＃４では動作してＣＢ遮断を行い、事故＃５では不動作であり、事故＃６では不動作である。
送電線１Ｌについて、送電線１Ｌを保護する距離継電器１４４Ｓから出力される１４４ＳＸ２信号は、事故＃１ではＤＺ１段（１４４ＳＸ１）が１４４ＳＸ２のタイマカウント中に動作してＣＢ遮断を行うため１４４ＳＸ２信号はリセットされる、事故＃４ではＤＺ１段（１４４ＳＸ１）が１４４ＳＸ２のタイマカウント中に動作してＣＢ遮断を行うため１４４ＳＸ２信号はリセットされる、事故＃５では１４４ＳＸ２が動作してＣＢ遮断を行い、事故＃６では１４４ＳＸ２のタイマカウント中にC端の距離継電器が動作してＣＢ６を遮断する。事故＃６が除去されたため１４４ＳＸ２信号はリセットされる。
【００５７】
送電線２Ｌについて、送電線２Ｌを保護する距離継電器２４４Ｓから出力される２４４ＳＸ１信号は、事故＃１、事故＃４、事故＃５、事故＃６では動作するがタイマカウント中である。
送電線２Ｌについて、送電線２Ｌを保護する距離継電器２４４Ｓから出力される２４４ＳＸ２信号は、事故＃１ではタイマがカウント中に１４４ＳＸ２が動作してＣＢ遮断を行い、事故＃１が除去されたため２４４ＳＸ２信号はリセットされる。事故＃４ではタイマがカウント中に１４４ＳＸ２が動作してＣＢ遮断を行い、事故＃４が除去されたため２４４ＳＸ２信号はリセットされる。事故＃５では動作してＣＢ遮断を行い、事故＃６では２４４ＳＸ２のタイマカウント中にC端の距離継電器が動作して遮断器ＣＢ６を遮断する。事故＃６が除去されたため２４４ＳＸ２信号はリセットされる。
【００５８】
＜距離継電器１４４Ｓの動作原理＞
次に、図１１は、図８に示す距離継電器１４４Ｓの動作原理を示す図である。
図１１は、図１に示す送電線１Ｌ上のある地点に短絡事故＃ｎが発生した場合に、回線選択保護継電装置１１Ａに設けられた距離継電器１４４Ｓ（ＤＺ）により検知される距離Ｄを示す。
距離継電器１４４Ｓ（ＤＺ）は、線路インピーダンスＺが送電線上の短絡点での距離に比例しており、オームの法則を利用して事故点までの距離を判定する。
ここで、ＰＴ１により検出される母線電圧をＶ、ＣＴ１により検出される線路電流をＩとすると、線路インピーダンスＺは、
Ｚ＝Ｖ／Ｉ                                        式（４）
となる。
【００５９】
＜線路インピーダンス＞
次に、図１２（ａ）は、図１１に示す距離継電器１４４Ｓにより検出される線路インピーダンスを示す概要図であり、図１２（ｂ）は、位相角と電圧階級との対応関係を表す表で示す図である。
図１２（ａ）において、線路インピーダンスＺは、Ｒ−Ｘ座標系の各成分から、抵抗成分Ｒとリアクタンス成分ｊＸのベクトル合成で表し、
Ｚ＝Ｒ＋ｊＸ                                      式（５）
となる。
ここで、Ｘ１は、第１段整定を表し、Ｂ端までのリアクタンスの７５〜８５％である。Ｘ２は、第２段整定を表し、Ｂ端までのリアクタンスの１２０〜１５０％である。第３段整定は、Ｂ端までのインピーダンスの２５０〜３５０％である。
【００６０】
また、図１２（ｂ）に示すように、線路インピーダンスＺにおける位相角は、逆三角関数で表現され、
位相角＝ｔａｎ−１（Ｘ／Ｒ）                        式（６）
となる。
位相角の目安は、送電線に加わる電圧階級が２２〜６６ｋＶのときに４５〜６５°、１１０ｋＶのときに７０〜８０°、２２０〜５００ｋＶのときに８８〜８９°となる。
【００６１】
次に、図１３は、距離継電器１４４Ｓ（ＤＺ）により検出されたＸ１信号、Ｘ２信号、及びＭ信号に基づいて、第１段トリップ信号、第２段トリップ信号、及び第３段トリップ信号を生成するための後備保護に係る概略的な回路図である。
図１３に示すＸ１信号、Ｘ２信号、及びＭ信号は、図４に示す送電線１Ｌに係る後備保護である１４４ＳＸ１信号、１４４ＳＸ２信号、及び１４４ＳＭ信号に相当し、また送電線２Ｌに係る後備保護である２４４ＳＸ１信号、２４４ＳＸ２信号、及び２４４ＳＭ信号に相当する。
図１３において、ＡＮＤ・Ａは、Ｘ１信号に接続され、Ｍ信号に接続され、両者が論理「１」である場合に、論理「１」を出力する。
【００６２】
タイマＴ１は、ＡＮＤ・Ａの出力端子を図示しない論理回路を経由して論理「１」が入力されると、タイマを起動して設定時間（例えば、０〜０．０５ｓ程度）後に論理「１」を出力し、他の図示しない論理回路により後備保護第１段トリップ信号を生成する。
タイマＴ２は、Ｍ信号に接続され、論理「１」が入力されるとタイマを起動して設定時間（例えば、０．４〜０．８ｓ程度）後に論理「１」をＡＮＤ・Ｂに出力する。
ＡＮＤ・Ｂは、Ｘ２信号に接続され、タイマＴ２の出力端子に接続され、両者が論理「１」である場合に、論理「１」を出力し、他の図示しない論理回路により後備保護第２段トリップ信号を生成する。
タイマＴ３は、Ｍ信号に接続され、論理「１」が入力されるとタイマを起動して設定時間（例えば、１．５ｓ程度）後に論理「１」を出力し、図示しない論理回路を経由して後備保護第３段トリップ信号を生成する。
【００６３】
これにより、回線選択保護継電装置１１Ａ,１１Ｂにおいて、事故検出シーケンス部１１ｅが、１４４ＳＸ１信号（基準リアクタンス成分値以内（７５％〜８５％）が無効、且つ１４４ＳＸ２信号（基準リアクタンス成分値を超えた範囲（１２０％〜１５０％）が有効な場合には、事故点が基準リアクタンス成分値の範囲（１２０％〜１５０％）であるので、１４４ＳＸ２信号を所定時間だけ遅延させてトリップ制御信号を生成し、１４４ＳＸ２信号が所定時間内に無効になったときには、トリップ制御信号の生成を中止することができる。
【００６４】
次に、図１４は、距離継電器１４４Ｓ（ＤＺ）が作動するまでに各要因により生じる誤差について説明するための表で示す図である。
図１４に示すように、ＰＴにより±１％、ＣＴにより±１％、リレーにより±５％、線路定数により±３％、裕度として＋５〜１０％を想定すると、これらの合計は＋５〜２０％又は−１０％となることが理解できる。
【００６５】
＜保護区間＞
ここで、トリップ信号と保護区間の関係について説明する。
後備保護第１段トリップ信号（図１３）を生成することで、自区間の事故を確実に高速に遮断させることができる。なお、線路定数、ＣＴ、ＰＴ、リレー（距離継電器１４４Ｓ）等による誤差を考慮すると、保護区間の８０〜８５％に対して保護することができる。
後備保護第２段トリップ信号（図１３）を生成することで、自区間の事故を確実に遮断させることができる。なお、後備保護第１段トリップ信号で保護しきれない区間を確実に遮断するため、保護区間の１２０〜１５０％に対して時限をもって保護することができる。
後備保護第３段トリップ信号（図１３）を生成することで、前方隣接端子の継電器が不動作である場合に、後備保護（遠端後備保護）として保護区間の２５０〜３５０％に対して、パターン１として次区間のバックアップ、パターン２として並行２回線の隣回線バックアップを可能とする。
【００６６】
＜第４事故＃４の応動＞
次に、図１５は、本発明の一実施形態に係る並行２回線選択保護システムが対応可能な第４事故＃４の応動を示す系統図である。
図１５において、第４事故＃４は、並行２回線の送電線１Ｌ上の分岐点Ｅから分岐したＢ線上にある遮断器ＣＢ５よりも近方側で発生したこととする。
第４事故＃４では、Ａ端に接続されているＡ線である送電線１Ｌおよび送電線２Ｌが、ＤＺ２段保護範囲２１Ａ、Ｂ端に接続されている。送電線１Ｌが、ＤＺ１段保護範囲であり、送電線２ＬがＤＺ２段保護範囲である場合、Ｂ端が主保護を動作して遮断器ＣＢ３を遮断し、その後Ａ端は送電線２Ｌの後備保護が事故を解消するため主保護を動作して遮断器ＣＢ１を遮断する。
【００６７】
＜第４事故＃４での動作タイミング＞
次に、図１６は、本発明の一実施形態に係る回線選択保護継電装置１１Ａが対応可能な第４事故＃４に係る動作タイミングｔ０〜ｔ４を示すタイミングチャートである。
第４事故＃４では、保護区間内の分岐送電線であるＢ線において事故が発生した場合を想定している。
Ａ端の送電線１Ｌを保護するための回線選択保護継電装置１１Ａでは、主保護の短絡回線選択継電器１５０Ｓは動作するが、距離継電器１４４ＳＸ１は動作しない。
Ｂ端の送電線１Ｌを保護するための回線選択保護継電装置１１Ｂも、主保護の短絡回線選択継電器１５０Ｓは動作するが、距離継電器１４４ＳＸ１は動作しない。
しかし、実際は分岐送電線であるＢ線で事故が発生した場合でも、事故点によってＡ端の送電線１Ｌを保護するための回線選択保護継電装置１１Ａは、主保護の短絡回線選択継電器１５０Ｓは動作して距離継電器１４４ＳＸ１も動作する。または、Ｂ端の送電線１Ｌを保護するため回線選択保護継電装置１１Ｂでは、主保護の短絡回線選択継電器１５０Ｓが動作して、距離継電器１４４ＳＸ１も動作する。
したがって、Ａ端、Ｂ端において、送電線１Ｌを保護するための遮断器ＣＢ３、ＣＢ１が順に遮断動作する。
【００６８】
すなわち、第４事故＃４で短絡事故が発生すると、送電線１Ｌが接続されているＡ端子では、タイミングｔ１〜ｔ３の間、回線選択保護継電装置１１Ａに設けられた主保護系の短絡回線選択継電器５０Ｓが動作することにより遮断器ＣＢ１を遮断する。
このタイミングｔ１〜ｔ３の間、回線選択保護継電装置１１Ａに設けられた後備保護系の送電線１Ｌに対応した距離継電器１４４ＳＸ１が動作し、かつ後備保護系の送電線２Ｌに対応した距離継電器２４４ＳＸ２が動作するが、短絡回線選択継電器５０Ｓが動作して遮断器ＣＢ１を遮断したため復帰する。
一方、送電線１Ｌが接続されているＢ端子では、タイミングｔ１〜ｔ２の間、回線選択保護継電装置１１Ｂに設けられた主保護系の短絡回線選択継電器５０Ｓが動作することにより遮断器ＣＢ３を遮断する。
このタイミングｔ１〜ｔ２の間、回線選択保護継電装置１１Ｂに設けられた後備保護系の送電線１Ｌに対応した距離継電器１４４ＳＸ１が動作し、かつ後備保護系の送電線２Ｌに対応した距離継電器２４４ＳＸ２が動作するが、短絡回線選択継電器５０Ｓが動作して遮断器ＣＢ１を遮断したため復帰する。
【００６９】
＜第４事故＃４での回線選択保護継電装置１１Ａの動作を示す真理値表＞
次に、図１７は、図１６に示す各動作タイミングｔ０〜ｔ４に対して、Ａ端に設けられた回線選択保護継電装置１１Ａの事故検出シーケンス部１１ｅによる動作を示す真理値を表で示す図である。
図４を参照して、図１７に示す真理値表における、動作タイミングｔ０〜ｔ４に対して、Ａ端子に設けられた回線選択保護継電装置１１Ａの事故検出シーケンス部１１ｅの動作状態を説明する。
【００７０】
＜第４事故＃４での回線選択保護継電装置１１Ａの動作状態（ｔ０）＞
動作タイミングｔ０では、分岐対策使用（Ｇ）が使用状態を表す論理「１」に設定されており、分岐送電線対策器５１ＧＳから出力される５１ＧＳ信号が論理「１」に設定されており、これに応じてＯＲ０の出力が論理「１」であることを示している。
さらに、主保護系の回路において、Ａ端子側の遮断器ＣＢ１、ＣＢ２がＯＮ状態を表す論理「１」であることを示している。その他の信号は、ＯＦＦ状態を表す論理「０」であることを示している。
【００７１】
＜第４事故＃４での回線選択保護継電装置１１Ａの動作状態（ｔ１）＞
動作タイミングｔ１では、第４事故＃４が発生したことに起因して、主保護系の回路において、短絡回線選択継電器１５０Ｓから出力される１５０Ｓ信号、過電流継電器５０ＳＡから出力される５０ＳＡ信号が論理「０」から論理「１」に切り替わったことを示している。
【００７２】
送電線１Ｌの後備保護系の回路において、距離継電器１４４ＳＸ２から出力される１４４ＳＸ２信号、距離継電器１４４ＳＭから出力される１４４ＳＭ信号が論理「０」から論理「１」に切り替わったことを示している。
１４４ＳＭ信号が論理「０」から論理「１」に切り替わると、タイマ１４４ＳＴ２、タイマ１４４ＳＴ３がカウントを開始する。同時に、２４４ＳＭ信号が論理「０」から論理「１」に切り替わると、タイマ２４４ＳＴ２、タイマ２４４ＳＴ３がカウントを開始する。
そして、ＡＮＤ１２の出力端子が論理「１」に切り替わり、ＡＮＤ１３の出力端子が論理「１」に切り替わり、ＡＮＤ３３の出力端子が論理「１」に切り替わり、ＡＮＤ０の出力端子が論理「１」に切り替わり、ＯＲ０の出力端子が論理「０」に切り替わり、ＡＮＤ１５の出力端子が論理「１」に切り替わり、ＡＮＤ１６の出力端子が論理「１」に切り替わる。
さらに、ＡＮＤ１６の出力端子が論理「１」に切り替わると、タイマ１５０ＳＴＢがカウントを開始する。
【００７３】
同時に、送電線２Ｌの後備保護系の回路において、距離継電器２４４ＳＸ２から出力される２４４ＳＸ２信号、距離継電器２４４ＳＭから出力される２４４ＳＭ信号が論理「０」から論理「１」に切り替わったことを示している。
そして、ＡＮＤ２２の出力端子が論理「１」に切り替わり、ＡＮＤ２３の出力端子が論理「１」に切り替わる。
【００７４】
＜第４事故＃４での回線選択保護継電装置１１Ａの動作状態（ｔ２）＞
動作タイミングｔ２では、送電線１Ｌの後備保護系の回路において、タイマ１５０ＳＴＢのカウント値が設定値（例えば、０．２秒）に達して出力端子の論理「０」から論理「１」に切り替わると、ＯＲ１の出力端子が論理「０」から論理「１」に切り替わり、送電線１Ｌトリップ信号［短絡］端子に出力され、送電線１Ｌトリップ信号をＤ／Ｏ遮断制御部１１ｆに出力する。
【００７５】
＜第４事故＃４での回線選択保護継電装置１１Ａの動作状態（ｔ３）＞
動作タイミングｔ３では、主保護系の回路において、短絡回線選択継電器１５０Ｓから出力される１５０Ｓ信号、過電流継電器５０ＳＡから出力される５０ＳＡ信号が論理「１」から論理「０」に切り替わったことを示している。同時に、Ａ端子側の遮断器ＣＢ１が論理「１」から論理「０」に切り替わる。
【００７６】
送電線１Ｌの後備保護系の回路において、距離継電器１４４ＳＸ２から出力される１４４ＳＸ２信号、距離継電器１４４ＳＭから出力される１４４ＳＭ信号が論理「１」から論理「０」に切り替わったことを示している。
そして、ＡＮＤ０の出力端子が論理「０」に切り替わり、ＯＲ０の出力端子が論理「１」に切り替わり、ＡＮＤ１２の出力端子が論理「０」に切り替わり、ＡＮＤ１３の出力端子が論理「０」に切り替わり、ＡＮＤ１５の出力端子が論理「０」に切り替わり、ＡＮＤ１６の出力端子が論理「０」に切り替わり、ＡＮＤ１７の出力端子が論理「１」に切り替わり、
さらに、タイマ１５０ＳＴＢの出力が論理「１」から論理「０」に切り替わる。
動作タイミングｔ３では、ＡＮＤ１７の出力端子が論理「１」に維持されており、ＯＲ１の出力端子が論理「１」に維持され、送電線１Ｌトリップ信号［短絡］が維持される。
【００７７】
同時に、送電線２Ｌの後備保護系の回路において、距離継電器２４４ＳＸ２から出力される２４４ＳＸ２信号、距離継電器２４４ＳＭから出力される２４４ＳＭ信号が論理「１」から論理「０」に切り替わったことを示している。
そして、ＡＮＤ２２の出力端子が論理「０」に切り替わり、ＡＮＤ２３の出力端子が論理「０」に切り替わる。
【００７８】
＜第４事故＃４での回線選択保護継電装置１１Ａの動作状態（ｔ４）＞
動作タイミングｔ４では、送電線１Ｌの後備保護系の回路において、ＡＮＤ１７の出力端子が論理「０」に切り替わり、ＯＲ１の出力端子が論理「０」に切り替わり、送電線１Ｌトリップ信号［短絡］が論理「０」に切り替わる。
【００７９】
＜第４事故＃４における回線選択保護継電装置１１Ａの動作のまとめと効果＞
第４事故＃４が発生した場合、送電線１Ｌが接続されているＡ端子では、回線選択保護継電装置１１Ａは、タイミングｔ１〜ｔ３の間、回線選択保護継電装置１１Ａに設けられた主保護系の短絡回線選択継電器１５０Ｓが動作することにより遮断器ＣＢ１を遮断する。
このタイミングｔ１〜ｔ３の間、後備保護系の送電線１Ｌに対応した距離継電器１４４ＳＸ２が動作し、かつ後備保護系の送電線２Ｌに対応した距離継電器４４ＳＸ２が動作するが、短絡回線選択継電器１５０Ｓが動作して遮断器ＣＢ１を遮断したため復帰する。
詳しくは、事故検出シーケンス部１１ｅが、１４４ＳＸ１信号（基準リアクタンス成分値以内（７５％〜８５％）が無効、且つ１４４ＳＸ２信号（基準リアクタンス成分値を超えた範囲（１２０％〜１５０％）が有効な場合には、事故点が基準リアクタンス成分値の範囲内であるので、１４４ＳＸ２信号を所定時間だけ遅延させてトリップ制御信号を生成し、１４４ＳＸ２信号が所定時間内に無効になったときには、トリップ制御信号の生成を中止することができる。
【００８０】
＜第４事故＃４での回線選択保護継電装置１１Ｂの動作を示す真理値表＞
次に、図１８は、図１６に示す各動作タイミングｔ０〜ｔ４に対して、Ｂ端子に設けられた回線選択保護継電装置１１Ｂの事故検出シーケンス部による動作を示す真理値を表で示す図である。
【００８１】
＜第４事故＃４での回線選択保護継電装置１１Ｂの動作状態（ｔ０）＞
動作タイミングｔ０では、分岐対策使用（Ｇ）が使用状態を表す論理「１」に設定されており、分岐送電線対策器５１ＧＳから出力される５１ＧＳ信号が論理「１」に設定されており、これに応じてＯＲ０の出力が論理「１」であることを示している。
さらに、主保護系の回路において、Ａ端子側の遮断器ＣＢ１、ＣＢ２がＯＮ状態を表す論理「１」であることを示している。その他の信号は、ＯＦＦ状態を表す論理「０」であることを示している。
【００８２】
＜第４事故＃４での回線選択保護継電装置１１Ｂの動作状態（ｔ１）＞
動作タイミングｔ１では、第４事故＃４が発生したことに起因して、主保護系の回路において、短絡回線選択継電器１５０Ｓから出力される１５０Ｓ信号、過電流継電器５０ＳＡから出力される５０ＳＡ信号が論理「０」から論理「１」に切り替わったことを示している。
【００８３】
送電線１Ｌの後備保護系の回路において、距離継電器１４４ＳＸ１から出力される１４４ＳＸ１信号、距離継電器１４４ＳＭから出力される１４４ＳＭ信号が論理「０」から論理「１」に切り替わったことを示している。
そして、１４４ＳＭ信号が論理「０」から論理「１」に切り替わると、タイマ１４４ＳＴ２、タイマ１４４ＳＴ３がカウントを開始する。同時に、２４４ＳＭ信号が論理「０」から論理「１」に切り替わると、タイマ２４４ＳＴ２、タイマ２４４ＳＴ３がカウントを開始する。
そして、ＡＮＤ１２の出力端子が論理「１」に切り替わり、ＡＮＤ１３の出力端子が論理「１」に切り替わり、ＡＮＤ１５の出力端子が論理「１」に切り替わり、
【００８４】
同時に、送電線２Ｌの後備保護系の回路において、距離継電器２４４ＳＸ１から出力される２４４ＳＸ１信号、距離継電器２４４ＳＸ２から出力される２４４ＳＸ２信号、距離継電器２４４ＳＭから出力される２４４ＳＭ信号が論理「０」から論理「１」に切り替わったことを示している。
そして、ＡＮＤ２２の出力端子が論理「１」に切り替わり、ＡＮＤ２３の出力端子が論理「１」に切り替わる。
【００８５】
＜第４事故＃４での回線選択保護継電装置１１Ｂの動作状態（ｔ２）＞
動作タイミングｔ２では、主保護系の回路において、短絡回線選択継電器１５０Ｓから出力される１５０Ｓ信号が論理「１」から論理「０」に切り替わったことを示している。
【００８６】
送電線１Ｌの後備保護系の回路において、距離継電器１４４ＳＸ１から出力される１４４ＳＸ１信号、距離継電器１４４ＳＭから出力される１４４ＳＭ信号が論理「１」から論理「０」に切り替わったことを示している。
そして、ＡＮＤ１２の出力端子が論理「０」に切り替わり、ＡＮＤ１３の出力端子が論理「０」に切り替わり、ＡＮＤ１６の出力端子が論理「０」に切り替わり、ＡＮＤ１７の出力端子が論理「０」に切り替わる。
さらに、タイマ１５０ＳＴＢの出力は、タイムカウント中に距離継電器１４４ＳＸ１がリセットされるため、論理「１」から論理「０」に切り替わる。
動作タイミングｔ３では、ＡＮＤ１７の出力端子が論理「１」に切り替わったことに起因して、ＯＲ１の出力端子が論理「０」から論理「１」に切り替わり、送電線１Ｌトリップ信号［短絡］端子に出力され、送電線１Ｌトリップ信号をＤ／Ｏ遮断制御部１３ｆに出力する。
【００８７】
＜第４事故＃４での回線選択保護継電装置１１Ｂの動作状態（ｔ３）＞
動作タイミングｔ３では、主保護系の回路において、過電流継電器５０ＳＡから出力される５０ＳＡ信号が論理「１」から論理「０」に切り替わったことを示している。
【００８８】
同時に、送電線１Ｌの後備保護系の回路において、ＡＮＤ１５の出力端子が論理「０」に切り替わり、ＡＮＤ１６の出力端子が論理「０」に切り替わり、ＡＮＤ１７の出力端子が論理「０」に切り替わる。
動作タイミングｔ３では、ＡＮＤ１７の出力端子が論理「０」に切り替わり、ＯＲ１の出力端子が論理「０」に切り替わり、送電線１Ｌトリップ信号［短絡］が論理「０」に切り替わる。
【００８９】
同時に、送電線２Ｌの後備保護系の回路において、距離継電器２４４ＳＸ１から出力される２４４ＳＸ１信号、距離継電器２４４ＳＸ２から出力される２４４ＳＸ２信号、距離継電器２４４ＳＭから出力される２４４ＳＭ信号が論理「１」から論理「０」に切り替わったことを示している。
そして、ＡＮＤ２２の出力端子が論理「０」に切り替わり、ＡＮＤ２３の出力端子が論理「０」に切り替わる。
【００９０】
＜第４事故＃４での回線選択保護継電装置１１Ｂの動作状態（ｔ４）＞
動作タイミングｔ４では、動作タイミングｔ３での論理が維持される。
【００９１】
＜第４事故＃４における回線選択保護継電装置１１Ｂの動作のまとめと効果＞
第４事故＃４が発生した場合、送電線１Ｌが接続されているＢ端子では、回線選択保護継電装置１１Ｂは、タイミングｔ１〜ｔ２の間、主保護系の短絡回線選択継電器１５０Ｓが動作することにより遮断器ＣＢ３を遮断する。
このタイミングｔ１〜ｔ２の間、後備保護系の送電線１Ｌに対応した距離継電器１４４ＳＸ１が動作し、かつ後備保護系の送電線２Ｌに対応した距離継電器２４４ＳＸ２が動作するが、短絡回線選択継電器１５０Ｓが動作して遮断器ＣＢ３を遮断したため復帰する。
詳しくは、事故検出シーケンス部１１ｅが、１４４ＳＸ１信号（基準リアクタンス成分値以内（７５％〜８５％）が無効、且つ１４４ＳＸ２信号（基準リアクタンス成分値を超えた範囲（１２０％〜１５０％）が有効な場合には、事故点が基準リアクタンス成分値の範囲（１２０％〜１５０％）であるので、１４４ＳＸ２信号を所定時間だけ遅延させてトリップ制御信号を生成し、１４４ＳＸ２信号が所定時間内に無効になったときには、トリップ制御信号の生成を中止することができる。
【００９２】
＜第５事故＃５の応動＞
次に、図１９は、本発明の一実施形態に係る並行２回線選択保護システムが対応可能な第５事故＃５の応動を示す系統図である。
第５事故＃５では、Ａ線送電線１Ｌに対応可能な主保護リレーは、分岐送電線対策により送電線１Ｌおよび送電線２Ｌの距離継電器のＤＺ２段保護範囲２１Ａである場合、５０ＳＴＢの整定時限後に主保護リレーにより遮断器ＣＢ１を遮断する。
【００９３】
＜第５事故＃５での動作タイミング＞
次に、図２０は、本発明の一実施形態に係る回線選択保護継電装置１１Ａが対応可能な第５事故＃５に係る動作タイミングｔ０〜ｔ３を示すタイミングチャートである。
第５事故＃５では、保護区間内の分岐送電線であるＣ線で事故が発生した場合を想定している。
Ａ端の送電線１Ｌのリレーは、主保護の短絡回線選択継電器１５０Ｓは動作（ｔ１）するが、距離継電器１４４ＳＸ１は動作しない（ｔ１）。距離継電器１４４ＳＸ２と距離継電器２４４ＳＸ２は動作中（ｔ１）であるため、タイマ１５０Ｓは、タイマ設定時間後に遮断器トリップ信号（ｔ４）を出力する。
Ｂ端の送電線１Ｌのリレーも、主保護の短絡回線選択継電器１５０Ｓは動作（ｔ１）するが、距離継電器１４４ＳＸ１は動作しない（ｔ１）。距離継電器１４４ＳＸ２と距離継電器２４４ＳＸ２は、動作中であるため、タイマ１５０ＳＴＢは、タイマ設定時間（例えば、０．２秒）後に遮断器トリップ信号を出力する（ｔ４）。
したがって、Ａ端、Ｂ端とも同時に送電線１Ｌの遮断器ＣＢ１、ＣＢ３が動作する。
【００９４】
第５事故＃５で短絡事故が発生すると、送電線１Ｌが接続されているＡ端子では、タイミングｔ１〜ｔ２の間、回線選択保護継電装置１１Ａに設けられた主保護系の短絡回線選択継電器５０Ｓと後備保護系の送電線１Ｌに対応した距離継電器１４４ＳＸ２および送電線２Ｌに対応した距離継電器２４４ＳＸ２が動作することにより、分岐負荷対策用主保護遅延タイマ１５０ＳＴＢ（例えば、０．２秒）後に遮断器ＣＢ１を遮断する。
このタイミングｔ１〜ｔ２の間、回線選択保護継電装置１１Ａに設けられた後備保護系の送電線１Ｌに対応した距離継電器１４４ＳＸ２および送電線２Ｌに対応した距離継電器２４４ＳＸ２が動作するが、タイマカウント中で短絡回線選択継電器５０Ｓが動作して遮断器ＣＢ１を遮断したため復帰する。
一方、送電線１Ｌが接続されているＢ端子では、タイミングｔ１〜ｔ２の間、回線選択保護継電装置１１Ｂに設けられた主保護系の短絡回線選択継電器５０Ｓと後備保護系の送電線１Ｌに対応した距離継電器１４４ＳＸ２および送電線２Ｌに対応した距離継電器２４４ＳＸ２が動作することにより、分岐負荷対策用主保護遅延タイマ１５０ＳＴＢ（例えば,０．２秒）後に遮断器ＣＢ３を遮断する。
このタイミングｔ１〜ｔ２の間、回線選択保護継電装置１１Ｂに設けられた後備保護系の送電線１Ｌに対応した距離継電器１４４ＳＸ２および送電線２Ｌに対応した距離継電器２４４ＳＸ２が動作するが、タイマカウント中で短絡回線選択継電器５０Ｓが動作して遮断器ＣＢ３を遮断したため復帰する。
【００９５】
＜第５事故＃５での回線選択保護継電装置１１Ａの動作を示す真理値表＞
次に、図２１は、図２０に示す各動作タイミングｔ０〜ｔ３に対して、Ａ端に設けられた回線選択保護継電装置１１Ａの事故検出シーケンス部１１ｅによる動作を示す真理値を表で示す図である。
図４を参照して、図２１に示す真理値表における、動作タイミングｔ０〜ｔ３に対して、Ａ端子に設けられた回線選択保護継電装置１１Ａの事故検出シーケンス部１１ｅの動作状態を説明する。
【００９６】
＜第５事故＃５での回線選択保護継電装置１１Ａの動作状態（ｔ０）＞
動作タイミングｔ０では、分岐対策使用（Ｇ）が使用状態を表す論理「１」に設定されており、分岐送電線対策器５１ＧＳから出力される５１ＧＳ信号が論理「１」に設定されており、これに応じてＯＲ０の出力が論理「１」であることを示している。
さらに、主保護系の回路において、Ａ端子側の遮断器ＣＢ１、ＣＢ２がＯＮ状態を表す論理「１」であることを示している。その他の信号は、ＯＦＦ状態を表す論理「０」であることを示している。
【００９７】
＜第５事故＃５での回線選択保護継電装置１１Ａの動作状態（ｔ１）＞
動作タイミングｔ１では、第４事故＃４が発生したことに起因して、主保護系の回路において、短絡回線選択継電器１５０Ｓから出力される１５０Ｓ信号、過電流継電器５０ＳＡから出力される５０ＳＡ信号が論理「０」から論理「１」に切り替わったことを示している。
【００９８】
送電線１Ｌの後備保護系の回路において、距離継電器１４４ＳＸ２から出力される１４４ＳＸ２信号、距離継電器１４４ＳＭから出力される１４４ＳＭ信号が論理「０」から論理「１」に切り替わったことを示している。
１４４ＳＭ信号が論理「０」から論理「１」に切り替わると、タイマ１４４ＳＴ２、タイマ１４４ＳＴ３がカウントを開始する。同時に、２４４ＳＭ信号が論理「０」から論理「１」に切り替わると、タイマ２４４ＳＴ２、タイマ２４４ＳＴ３がカウントを開始する。
そして、ＡＮＤ１２の出力端子が論理「１」に切り替わり、ＡＮＤ１３の出力端子が論理「１」に切り替わり、ＡＮＤ３３の出力端子が論理「１」に切り替わり、ＡＮＤ０の出力端子が論理「１」に切り替わり、ＯＲ０の出力端子が論理「０」に切り替わり、ＡＮＤ１５の出力端子が論理「１」に切り替わり、ＡＮＤ１６の出力端子が論理「１」に切り替わる。
さらに、ＡＮＤ１６の出力端子が論理「１」に切り替わると、タイマ１５０ＳＴＢがカウントを開始する。
【００９９】
同時に、送電線２Ｌの後備保護系の回路において、距離継電器２４４ＳＸ２から出力される２４４ＳＸ２信号、距離継電器２４４ＳＭから出力される２４４ＳＭ信号が論理「０」から論理「１」に切り替わったことを示している。
そして、ＡＮＤ２２の出力端子が論理「１」に切り替わり、ＡＮＤ２３の出力端子が論理「１」に切り替わる。
【０１００】
＜第５事故＃５での回線選択保護継電装置１１Ａの動作状態（ｔ２）＞
動作タイミングｔ２では、送電線１Ｌの後備保護系の回路において、タイマ１５０ＳＴＢのカウント値が設定値（例えば、０．２秒）に達して出力端子の論理「０」から論理「１」に切り替わると、ＯＲ１の出力端子が論理「０」から論理「１」に切り替わり、送電線１Ｌトリップ信号［短絡］端子に出力され、送電線１Ｌトリップ信号をＤ／Ｏ遮断制御部１１ｆに出力する。
【０１０１】
＜第５事故＃５での回線選択保護継電装置１１Ａの動作状態（ｔ３）＞
動作タイミングｔ３では、主保護系の回路において、短絡回線選択継電器１５０Ｓから出力される１５０Ｓ信号、過電流継電器５０ＳＡから出力される５０ＳＡ信号が論理「１」から論理「０」に切り替わったことを示している。同時に、Ａ端子側の遮断器ＣＢ１が動作したことで論理「１」から論理「０」に切り替わる。
【０１０２】
送電線１Ｌの後備保護系の回路において、距離継電器１４４ＳＸ２から出力される１４４ＳＸ２信号、距離継電器１４４ＳＭから出力される１４４ＳＭ信号がＡ端子側の遮断器ＣＢ１が動作したことで論理「１」から論理「０」に切り替わったことを示している。
そして、ＡＮＤ０の出力端子が論理「０」に切り替わり、ＯＲ０の出力端子が論理「１」に切り替わり、ＡＮＤ１２の出力端子が論理「０」に切り替わり、ＡＮＤ１３の出力端子が論理「０」に切り替わり、ＡＮＤ１５の出力端子が論理「０」に切り替わり、ＡＮＤ１６の出力端子が論理「０」に切り替わる。
さらに、タイマ１５０ＳＴＢの出力が論理「１」から論理「０」に切り替わる。
動作タイミングｔ３では、ＡＮＤ１７の出力端子が論理「１」に維持されており、ＯＲ１の出力端子が論理「０」に切り替わり、送電線１Ｌトリップ信号［短絡］が論理「１」から論理「０」に切り替わる。
【０１０３】
同時に、送電線２Ｌの後備保護系の回路において、距離継電器２４４ＳＸ２から出力される２４４ＳＸ２信号、距離継電器２４４ＳＭから出力される２４４ＳＭ信号がＡ端子側の遮断器ＣＢ１が動作したことで論理「１」から論理「０」に切り替わったことを示している。
そして、ＡＮＤ２２の出力端子が論理「０」に切り替わり、ＡＮＤ２３の出力端子が論理「０」に切り替わる。
【０１０４】
＜第５事故＃５における回線選択保護継電装置１１Ａの動作のまとめと効果＞
第５事故＃５が発生した場合、送電線１Ｌが接続されているＡ端子では、回線選択保護継電装置１１Ａは、タイミングｔ１〜ｔ２の間、主保護系の短絡回線選択継電器１５０Ｓが動作することにより遮断器ＣＢ１を遮断する。
このタイミングｔ１〜ｔ２の間、後備保護系の送電線１Ｌに対応した距離継電器１４４ＳＸ２が動作するが、短絡回線選択継電器１５０Ｓが動作して遮断器ＣＢ１を遮断したため復帰する。
詳しくは、１４４ＳＸ２信号と、１４４ＳＭ信号を第２時間だけ経過させた信号とのＡＮＤ３１による論理積が真値に切り替わった場合に、真値に基づいて後備保護第２段トリップ信号を生成することができる。
【０１０５】
＜第５事故＃５での回線選択保護継電装置１１Ｂの動作を示す真理値表＞
次に、図２２は、図２０に示す各動作タイミングｔ０〜ｔ３に対して、Ｂ端に設けられた回線選択保護継電装置１１Ｂの事故検出シーケンス部１１Ｂｅによる動作を示す真理値を表で示す図である。
【０１０６】
＜第５事故＃５での回線選択保護継電装置１１Ｂの動作状態（ｔ０）＞
動作タイミングｔ０では、分岐対策使用（Ｇ）が使用状態を表す論理「１」に設定されており、分岐送電線対策器５１ＧＳから出力される５１ＧＳ信号が論理「１」に設定されており、これに応じてＯＲ０の出力が論理「１」であることを示している。
さらに、主保護系の回路において、Ｂ端子側の遮断器ＣＢ３、ＣＢ４がＯＮ状態を表す論理「１」であることを示している。その他の信号は、ＯＦＦ状態を表す論理「０」であることを示している。
【０１０７】
＜第５事故＃５での回線選択保護継電装置１１Ｂの動作状態（ｔ１）＞
動作タイミングｔ１では、第５事故＃５が発生したことに起因して、主保護系の回路において、短絡回線選択継電器１５０Ｓから出力される１５０Ｓ信号、過電流継電器５０ＳＡから出力される５０ＳＡ信号が論理「０」から論理「１」に切り替わったことを示している。
【０１０８】
送電線１Ｌの後備保護系の回路において、距離継電器１４４ＳＸ２から出力される１４４ＳＸ２信号、距離継電器１４４ＳＭから出力される１４４ＳＭ信号が論理「０」から論理「１」に切り替わったことを示している。
そして、ＡＮＤ０の出力端子が論理「１」に切り替わり、ＯＲ０の出力端子が論理「０」に切り替わり、ＡＮＤ１２の出力端子が論理「１」に切り替わり、ＡＮＤ１３の出力端子が論理「１」に切り替わる。
そして、ＡＮＤ１５の出力端子が論理「１」に切り替わり、ＡＮＤ１６の出力端子が論理「１」に切り替わる。
【０１０９】
同時に、送電線２Ｌの後備保護系の回路において、距離継電器２４４ＳＸ２から出力される２４４ＳＸ２信号、距離継電器２４４ＳＭから出力される２４４ＳＭ信号が論理「０」から論理「１」に切り替わったことを示している。
そして、ＡＮＤ２２の出力端子が論理「１」に切り替わり、ＡＮＤ２３の出力端子が論理「１」に切り替わる。
【０１１０】
＜第５事故＃５での回線選択保護継電装置１１Ｂの動作状態（ｔ２）＞
動作タイミングｔ２では、タイマ１５０ＳＴＢの出力が論理「０」から論理「１」に切り替わる。
タイマ１５０ＳＴＢの出力端子が論理「０」から論理「１」に切り替わったことに起因して、ＯＲ１の出力端子が論理「０」から論理「１」に切り替わり、送電線１Ｌトリップ信号［短絡］端子に出力され、送電線１Ｌトリップ信号をＤ／Ｏ遮断制御部１１Ｂｆに出力する。
【０１１１】
＜第５事故＃５での回線選択保護継電装置１１Ａの動作状態（ｔ３）＞
動作タイミングｔ３では、主保護系の回路において、短絡回線選択継電器１５０Ｓから出力される１５０Ｓ信号、過電流継電器５０ＳＡから出力される５０ＳＡ信号が論理「１」から論理「０」に切り替わったことを示している。同時に、Ａ端子側の遮断器ＣＢ１が論理「１」から論理「０」に切り替わる。
【０１１２】
送電線１Ｌの後備保護系の回路において、距離継電器１４４ＳＸ２から出力される１４４ＳＸ２信号、距離継電器１４４ＳＭから出力される１４４ＳＭ信号が論理「１」から論理「０」に切り替わったことを示している。
そして、ＡＮＤ０の出力端子が論理「０」に切り替わり、ＯＲ０の出力端子が論理「１」に切り替わり、ＡＮＤ１２の出力端子が論理「０」に切り替わり、ＡＮＤ１３の出力端子が論理「０」に切り替わり、ＡＮＤ１５の出力端子が論理「０」に切り替わり、ＡＮＤ１６の出力端子が論理「０」に切り替わる。
さらに、タイマ１５０ＳＴＢの出力が論理「１」から論理「０」に切り替わる。
動作タイミングｔ３では、ＡＮＤ１７の出力端子が論理「１」に維持されており、ＯＲ１の出力端子が論理「０」に切り替わり、送電線１Ｌトリップ信号［短絡］が論理「１」から論理「０」に切り替わる。
【０１１３】
同時に、送電線２Ｌの後備保護系の回路において、距離継電器２４４ＳＸ１から出力される２４４ＳＸ１信号、距離継電器２４４ＳＸ２から出力される２４４ＳＸ２信号、距離継電器２４４ＳＭから出力される２４４ＳＭ信号が論理「１」から論理「０」に切り替わったことを示している。
そして、ＡＮＤ２２の出力端子が論理「０」に切り替わり、ＡＮＤ２３の出力端子が論理「０」に切り替わる。
【０１１４】
＜第５事故＃５における回線選択保護継電装置１１Ｂの動作のまとめと効果＞
第５事故＃５が発生した場合、送電線１Ｌが接続されているＢ端子では、回線選択保護継電装置１１Ｂは、タイミングｔ１〜ｔ２の間、主保護系の短絡回線選択継電器１５０Ｓが動作することにより遮断器ＣＢ３を遮断する。
このタイミングｔ１〜ｔ２の間、後備保護系の送電線１Ｌに対応した距離継電器１４４ＳＸ２が動作するが、短絡回線選択継電器１５０Ｓが動作して遮断器ＣＢ３を遮断したため復帰する。
詳しくは、１４４ＳＸ２信号と、１４４ＳＭ信号を第２時間だけ経過させた信号とのＡＮＤ３１による論理積が真値に切り替わった場合に、真値に基づいて後備保護第２段トリップ信号を生成することができる。
【０１１５】
＜第６事故＃６の応動＞
次に、図２３は、本発明の一実施形態に係る並行２回線選択保護システムが対応可能な第６事故＃６の応動を示す系統図である。
図２３において、第６事故＃６は、並行２回線の送電線１Ｌ上の分岐点Ｅから分岐したＢ線上にある遮断器ＣＢ６よりも遠方側で発生したこととする。
第６事故＃６では、Ａ端、Ｂ端の主保護の短絡回線選択継電器１５０Ｓは起動するが、これに先行してＣ線の保護リレーが動作して遮断器ＣＢ６が遮断するため、事故が除去され、Ｃ端から分岐した送電線上のトランスＴｒ１とＤ端は停電しない。
【０１１６】
＜第６事故＃６での動作タイミング＞
次に、図２４は、本発明の一実施形態に係る回線選択保護継電装置１１Ａが対応可能な第６事故＃６に係る動作タイミングｔ０〜ｔ３を示すタイミングチャートである。
第６事故＃６では、保護区間内の分岐送電線であるＣ線の電気所から引出された送電線で事故が発生した場合を想定している。
Ａ端の送電線１Ｌのリレーは、主保護の短絡回線選択継電器１５０Ｓは動作するが、距離継電器１４４ＳＸ１は動作していない（ｔ１）。送電線１Ｌ保護の距離継電器１４４ＳＸ２と送電線２Ｌ保護の距離継電器２４４ＳＸ２は動作中（ｔ２）であるが、短絡回線選択継電器１５０Ｓは、タイマ（１５０ＳＴＢ）カウント中であるため遮断器トリップ信号は出力しない。
Ｂ端の送電線１Ｌのリレーも、主保護の短絡回線選択継電器１５０Ｓは動作するが、距離継電器１４４ＳＸ１は動作していない。送電線１Ｌ保護の距離継電器１４４ＳＸ２と距離継電器送電線２Ｌ保護の２４４ＳＸ２は動作中であるため、短絡回線選択継電器１５０Ｓは、タイマカウント中であるため遮断器トリップ信号は出力しない。
この主保護の短絡回線選択継電器１５０Ｓのタイムカウント中（ｔ２）に、Ｃ線事故をＣ端のＣ線の保護リレーで事故を解消するため、Ａ端およびＢ端の主保護の短絡回線選択継電器１５０Ｓのタイムカウントはそれぞれリセットされる。
よって、分岐送電線の電気所Ｃ端から引出された送電線Ｃ線事故に対して、不要動作が防止できる。
【０１１７】
第６事故＃６で短絡事故が発生すると、送電線１Ｌが接続されているＡ端子では、タイミングｔ１〜ｔ２の間、回線選択保護継電装置１１Ａに設けられた主保護系の短絡回線選択継電器５０Ｓが起動するが、Ｃ線に配置されている遮断器ＣＢ６が遮断したため復帰する。
このタイミングｔ１〜ｔ２の間、回線選択保護継電装置１１Ａに設けられた後備保護系の送電線１Ｌに対応した距離継電器１４４ＳＸ２が動作するが、Ｃ線に配置されている遮断器ＣＢ６が遮断したため復帰する。
一方、送電線１Ｌが接続されているＢ端子では、タイミングｔ１〜ｔ２の間、回線選択保護継電装置１１Ｂに設けられた主保護系の短絡回線選択継電器５０Ｓが起動するが、Ｃ線に配置されている遮断器ＣＢ６が遮断したため復帰する。
このタイミングｔ１〜ｔ２の間、回線選択保護継電装置１１Ｂに設けられた後備保護系の送電線１Ｌに対応した距離継電器１４４ＳＸ２が動作するが、Ｃ線に配置されている遮断器ＣＢ６が遮断したため復帰する。
さらに、第６事故＃６で短絡事故が発生すると、タイミングｔ１〜ｔ２の間、保護継電装置１５に設けられた主保護系のＣ線に対応した距離継電器４４ＳＸ１が動作し、Ｃ線に配置されている遮断器ＣＢ６を遮断する。
【０１１８】
＜第６事故＃６での回線選択保護継電装置１１Ａの動作を示す真理値表＞
次に、図２５は、図２４に示す各動作タイミングｔ０〜ｔ４に対して、Ａ端に設けられた回線選択保護継電装置１１Ａの事故検出シーケンス部１１ｅによる動作を示す真理値を表で示す図である。
図４を参照して、図２５に示す真理値表における、動作タイミングｔ０〜ｔ３に対して、Ａ端子に設けられた回線選択保護継電装置１１Ａの事故検出シーケンス部１１ｅの動作状態を説明する。
【０１１９】
＜第６事故＃６での回線選択保護継電装置１１Ａの動作状態（ｔ０）＞
動作タイミングｔ０では、分岐対策使用（Ｇ）が使用状態を表す論理「１」に設定されており、分岐送電線対策器５１ＧＳから出力される５１ＧＳ信号が論理「１」に設定されており、これに応じてＯＲ０の出力が論理「１」であることを示している。
さらに、主保護系の回路において、Ａ端子側の遮断器ＣＢ１、ＣＢ２がＯＮ状態を表す論理「１」であることを示している。その他の信号は、ＯＦＦ状態を表す論理「０」であることを示している。
【０１２０】
＜第６事故＃６での回線選択保護継電装置１１Ａの動作状態（ｔ１）＞
動作タイミングｔ１では、第６事故＃６が発生したことに起因して、主保護系の回路において、短絡回線選択継電器１５０Ｓから出力される１５０Ｓ信号、過電流継電器５０ＳＡから出力される５０ＳＡ信号が論理「０」から論理「１」に切り替わったことを示している。
【０１２１】
送電線１Ｌの後備保護系の回路において、距離継電器１４４ＳＸ２から出力される１４４ＳＸ２信号、距離継電器１４４ＳＭから出力される１４４ＳＭ信号が論理「０」から論理「１」に切り替わったことを示している。
１４４ＳＭ信号が論理「０」から論理「１」に切り替わると、タイマ１４４ＳＴ２、タイマ１４４ＳＴ３がカウントを開始する。同時に、２４４ＳＭ信号が論理「０」から論理「１」に切り替わると、タイマ２４４ＳＴ２、タイマ２４４ＳＴ３がカウントを開始する。
そして、ＡＮＤ１２の出力端子が論理「１」に切り替わり、ＡＮＤ１３の出力端子が論理「１」に切り替わり、ＡＮＤ３３の出力端子が論理「１」に切り替わり、ＡＮＤ０の出力端子が論理「１」に切り替わり、ＯＲ０の出力端子が論理「０」に切り替わり、ＡＮＤ１５の出力端子が論理「１」に切り替わり、ＡＮＤ１６の出力端子が論理「１」に切り替わる。
さらに、ＡＮＤ１６の出力端子が論理「１」に切り替わると、タイマ１５０ＳＴＢがカウントを開始する。
【０１２２】
同時に、送電線２Ｌの後備保護系の回路において、距離継電器２４４ＳＸ２から出力される２４４ＳＸ２信号、距離継電器２４４ＳＭから出力される２４４ＳＭ信号が論理「０」から論理「１」に切り替わったことを示している。
そして、ＡＮＤ２２の出力端子が論理「１」に切り替わり、ＡＮＤ２３の出力端子が論理「１」に切り替わる。
【０１２３】
＜第６事故＃６での回線選択保護継電装置１１Ａの動作状態（ｔ２）＞
動作タイミングｔ２では、第６事故＃６が発生したことに起因して、主保護系の回路において、短絡回線選択継電器１５０Ｓから出力される１５０Ｓ信号、過電流継電器５０ＳＡから出力される５０ＳＡ信号が論理「１」から論理「０」に切り替わったことを示している。
【０１２４】
送電線１Ｌの後備保護系の回路において、距離継電器１４４ＳＸ２から出力される１４４ＳＸ２信号、距離継電器１４４ＳＭから出力される１４４ＳＭ信号が論理「１」から論理「０」に切り替わったことを示している。
そして、ＡＮＤ０の出力端子が論理「０」に切り替わり、ＯＲ０の出力端子が論理「１」に切り替わり、ＡＮＤ１２の出力端子が論理「０」に切り替わり、ＡＮＤ１３の出力端子が論理「０」に切り替わり、ＡＮＤ１５の出力端子が論理「０」に切り替わり、ＡＮＤ１６の出力端子が論理「０」に切り替わる。
さらに、ＡＮＤ１６の出力端子が論理「０」に切り替わると、タイマ１５０ＳＴＢのカウントがリセットされる。
【０１２５】
同時に、送電線２Ｌの後備保護系の回路において、距離継電器２４４ＳＸ１から出力される２４４ＳＸ１信号、距離継電器２４４ＳＸ２から出力される２４４ＳＸ２信号、距離継電器２４４ＳＭから出力される２４４ＳＭ信号が論理「１」から論理「０」に切り替わったことを示している。
そして、ＡＮＤ２２の出力端子が論理「０」に切り替わり、ＡＮＤ２３の出力端子が論理「０」に切り替わる。
【０１２６】
＜第６事故＃６での回線選択保護継電装置１１Ａの動作状態（ｔ３）＞
動作タイミングｔ３では、主保護系の回路、送電線１Ｌの後備保護系の回路、送電線２Ｌの後備保護系の回路が動作タイミングｔ３の状態に復帰する。
【０１２７】
＜第６事故＃６における回線選択保護継電装置１１Ａの動作のまとめと効果＞
第６事故＃６が発生した場合、送電線１Ｌが接続されているＡ端子では、回線選択保護継電装置１１Ａは、タイミングｔ１〜ｔ２の間、主保護系の短絡回線選択継電器１５０Ｓが起動するが、Ｃ線に配置されている遮断器ＣＢ６が遮断したため復帰する。
このタイミングｔ１〜ｔ２の間、後備保護系の送電線１Ｌに対応した距離継電器１４４ＳＸ２が動作するが、Ｃ線に配置されている遮断器ＣＢ６が遮断したため復帰する。
【０１２８】
＜第６事故＃６での回線選択保護継電装置１１Ｂの動作を示す真理値表＞
次に、図２６は、図２４に示す各動作タイミングｔ０〜ｔ３に対して、Ｂ端子に設けられた回線選択保護継電装置１１Ｂの事故検出シーケンス部による動作を示す真理値を表で示す図である。
【０１２９】
＜第６事故＃６での回線選択保護継電装置１１Ｂの動作状態（ｔ０）＞
動作タイミングｔ０では、分岐対策使用（Ｇ）が使用状態を表す論理「１」に設定されており、分岐送電線対策器５１ＧＳから出力される５１ＧＳ信号が論理「１」に設定されており、これに応じてＯＲ０の出力が論理「１」であることを示している。
さらに、主保護系の回路において、Ａ端子側の遮断器ＣＢ１、ＣＢ２がＯＮ状態を表す論理「１」であることを示している。その他の信号は、ＯＦＦ状態を表す論理「０」であることを示している。
【０１３０】
＜第６事故＃６での回線選択保護継電装置１１Ｂの動作状態（ｔ１）＞
動作タイミングｔ１では、第４事故＃４が発生したことに起因して、主保護系の回路において、短絡回線選択継電器１５０Ｓから出力される１５０Ｓ信号、過電流継電器５０ＳＡから出力される５０ＳＡ信号が論理「０」から論理「１」に切り替わったことを示している。
【０１３１】
送電線１Ｌの後備保護系の回路において、距離継電器１４４ＳＸ２から出力される１４４ＳＸ２信号、距離継電器１４４ＳＭから出力される１４４ＳＭ信号が論理「０」から論理「１」に切り替わったことを示している。
そして、ＡＮＤ０の出力端子が論理「１」に切り替わり、ＯＲ０の出力端子が論理「０」に切り替わり、ＡＮＤ１２の出力端子が論理「１」に切り替わり、ＡＮＤ１３の出力端子が論理「１」に切り替わり、ＡＮＤ１５の出力端子が論理「１」に切り替わり、ＡＮＤ１６の出力端子が論理「１」に切り替わる。
【０１３２】
同時に、送電線２Ｌの後備保護系の回路において、距離継電器２４４ＳＸ２から出力される２４４ＳＸ２信号、距離継電器２４４ＳＭから出力される２４４ＳＭ信号が論理「０」から論理「１」に切り替わったことを示している。
そして、ＡＮＤ２２の出力端子が論理「１」に切り替わり、ＡＮＤ２３の出力端子が論理「１」に切り替わる。
【０１３３】
＜第６事故＃６での回線選択保護継電装置１１Ｂの動作状態（ｔ２）＞
動作タイミングｔ２では、主保護系の回路において、短絡回線選択継電器１５０Ｓから出力される１５０Ｓ信号、過電流継電器５０ＳＡから出力される５０ＳＡ信号が論理「１」から論理「０」に切り替わったことを示している。
【０１３４】
送電線１Ｌの後備保護系の回路において、距離継電器１４４ＳＸ２から出力される１４４ＳＸ２信号、距離継電器１４４ＳＭから出力される１４４ＳＭ信号が論理「１」から論理「０」に切り替わったことを示している。
そして、ＡＮＤ１の出力端子が論理「０」に切り替わり、ＯＲ１の出力端子が論理「１」に切り替わり、ＡＮＤ１２の出力端子が論理「０」に切り替わり、ＡＮＤ１３の出力端子が論理「０」に切り替わり、ＡＮＤ１５の出力端子が論理「０」に切り替わり、ＡＮＤ１６の出力端子が論理「０」に切り替わる。
さらに、ＡＮＤ１６の出力端子が論理「０」に切り替わると、タイマ１５０ＳＴＢのカウントがリセットされる。
【０１３５】
同時に、送電線２Ｌの後備保護系の回路において、距離継電器２４４ＳＸ２から出力される２４４ＳＸ２信号、距離継電器２４４ＳＭから出力される２４４ＳＭ信号が論理「１」から論理「０」に切り替わったことを示している。
そして、ＡＮＤ２２の出力端子が論理「０」に切り替わり、ＡＮＤ２３の出力端子が論理「０」に切り替わる。
【０１３６】
＜第６事故＃６での回線選択保護継電装置１１Ｂの動作状態（ｔ３）＞
動作タイミングｔ３では、主保護系の回路、送電線１Ｌの後備保護系の回路、送電線２Ｌの後備保護系の回路が動作タイミングｔ３の状態に復帰する。
【０１３７】
＜第６事故＃６における回線選択保護継電装置１１Ｂの動作のまとめと効果＞
第６事故＃６が発生した場合、送電線１Ｌが接続されているＢ端子では、回線選択保護継電装置１１Ｂは、タイミングｔ１〜ｔ２の間、主保護系の短絡回線選択継電器１５０Ｓが起動するが、Ｃ線に配置されている遮断器ＣＢ６が遮断したため復帰する。
このタイミングｔ１〜ｔ２の間、後備保護系の送電線１Ｌに対応した距離継電器１４４ＳＸ２が動作するが、Ｃ線に配置されている遮断器ＣＢ６が遮断したため復帰する。
【０１３８】
＜第６事故＃６での回線選択保護継電装置１５の動作を示す真理値表＞
次に、図２７は、図２４に示す各動作タイミングｔ０〜ｔ３に対して、Ｃ端子に設けられた回線選択保護継電装置１５の事故検出シーケンス部による動作を示す真理値を表で示す図である。
【０１３９】
＜第６事故＃６での回線選択保護継電装置１５の動作状態（ｔ０）＞
動作タイミングｔ０では、Ｃ線保護系の回路において、距離継電器４４ＳＸ１から出力される４４ＳＸ１信号、距離継電器４４ＳＸ２から出力される４４ＳＸ２信号、距離継電器４４ＳＭから出力される４４ＳＭ信号、距離継電器４４ＳＴ２から出力される４４ＳＴ２信号、距離継電器４４ＳＴ３から出力される４４ＳＴ３信号、トリップ指令信号が論理「０」であることを示している。
【０１４０】
＜第６事故＃６での回線選択保護継電装置１５の動作状態（ｔ１）＞
動作タイミングｔ１では、距離継電器４４ＳＸ１から出力される４４ＳＸ１信号、距離継電器４４ＳＭから出力される４４ＳＭ信号、トリップ指令信号が論理「０」から論理「１」に切り替わったことを示している。
トリップ指令信号が論理「０」から論理「１」に切り替わると、トリップ指令信号［短絡］端子から論理「１」が出力され、トリップ指令信号をＤ／Ｏ遮断制御部１５ｆに出力して遮断器ＣＢ６を作動させ、Ｃ線の送電線を遮断する。
【０１４１】
＜第６事故＃６での回線選択保護継電装置１５の動作状態（ｔ２〜ｔ３）＞
動作タイミングｔ２〜ｔ３では、Ｂ線保護系の回路が動作タイミングｔ０の状態に復帰する。
【０１４２】
＜第３事故＃３での動作タイミング＞
次に、図２８は、本発明の一実施形態に係るＡ端子に設けられた回線選択保護継電装置１１Ａ及びＢ端子に設けられた回線選択保護継電装置１１Ｂが対応可能な第３事故＃３に係る動作タイミングｔ０〜ｔ３を示すタイミングチャートである。
保護区間内のＡ端至近端で事故が発生した場合を想定している。
事故発生時、事故電流は送電線１Ｌにほぼ全量事故点に向かって流れ、送電線２Ｌ側にはほとんど事故電流は流れない。
よって、主保護の短絡回線選択継電器１５０Ｓは動作する。また、距離継電器１４４ＳＸ１もＤＺ１段保護範囲２３Ａ内のため動作する。
Ｂ端の送電線１Ｌのリレーは、事故電流が流れないため、主保護の短絡回線選択継電器１５０Ｓも距離継電器１４４ＳＸ２も動作しない。
Ａ端の送電線１Ｌを保護するための主保護の短絡回線選択継電器１５０Ｓが動作して、送電線１Ｌを保護する遮断器ＣＢ１が動作すると、事故電流は全量が送電線２Ｌより事故点に流れる。
事故はＡ端の送電線１Ｌの至近端における事故であるので、Ｂ端の母線を回って送電線１Ｌの事故点に向かって事故電流が流れる。
その後、Ｂ端の送電線１Ｌを保護するための主保護の短絡回線選択継電器１５０Ｓが動作する。距離継電器１４４ＳＸ２は動作するもののタイマによってカウント中のため動作しない。
【０１４３】
第３事故＃３で短絡事故が発生すると、送電線１Ｌが接続されているＡ端子では、タイミングｔ１〜ｔ２の間、回線選択保護継電装置１１Ａに設けられた主保護系の短絡回線選択継電器１５０Ｓが動作することにより遮断器ＣＢ１を遮断する。
このタイミングｔ１〜ｔ２の間、回線選択保護継電装置１１Ａに設けられた後備保護系の送電線１Ｌに対応した距離継電器１４４ＳＸ１が動作する。
一方、送電線１Ｌが接続されているＢ端子では、タイミングｔ２〜ｔ３の間、回線選択保護継電装置１１Ｂに設けられた主保護系の短絡回線選択継電器１５０Ｓが動作することにより遮断器ＣＢ３を遮断する。
このタイミングｔ１〜ｔ３の間、回線選択保護継電装置１１Ｂに設けられた後備保護系の送電線である送電線１Ｌに対応した距離継電器１４４ＳＸ２が動作するが、短絡回線選択継電器１５０Ｓが動作して遮断器ＣＢ３を遮断したため復帰する。
【０１４４】
＜第３事故＃３における回線選択保護継電装置１１Ａの動作のまとめと効果＞
第３事故＃３で短絡事故が発生すると、送電線１Ｌが接続されているＡ端子では、回線選択保護継電装置１１Ａは、タイミングｔ１〜ｔ２の間、主保護系の短絡回線選択継電器１５０Ｓが動作することにより遮断器ＣＢ１を遮断する。
このタイミングｔ１〜ｔ２の間、後備保護系の送電線１Ｌに対応した距離継電器１４４ＳＸ１が動作する。
詳しくは、１４４ＳＸ１信号と、１４４ＳＭ信号とのＡＮＤ３２による論理積が真値に切り替わった場合に、第１時間を経過した後の真値に基づいて後備保護第１段トリップ信号を生成することができ、遮断器の不要な動作遅延を低減することができる。
【０１４５】
＜第３事故＃３における回線選択保護継電装置１１Ｂの動作のまとめと効果＞
送電線１Ｌが接続されているＢ端子では、回線選択保護継電装置１１Ｂは、タイミングｔ２〜ｔ３の間、主保護系の短絡回線選択継電器１５０Ｓが動作することにより遮断器ＣＢ３を遮断する。
このタイミングｔ１〜ｔ３の間、後備保護系の送電線１Ｌに対応した距離継電器１４４ＳＸ２が動作するが、短絡回線選択継電器１５０Ｓが動作して遮断器ＣＢ３を遮断したため復帰する。
詳しくは、１４４ＳＸ２信号と１４４ＳＭ信号とのＡＮＤ１２による論理積が真値に切り替わった場合に、この論理積の真値と事故検出信号とのＡＮＤ１３による第２論理積が真値になったときに、１Ｌトリップ信号を生成し、ＡＮＤ１３による第２論理積が偽値になったときに、１Ｌトリップ信号の生成を中止することができる。
【０１４６】
＜第２事故＃２での動作タイミング＞
次に、図２９は、本発明の一実施形態に係るＡ端子に設けられた回線選択保護継電装置１１Ａ及びＢ端子に設けられた回線選択保護継電装置１１Ｂが対応可能な第２事故＃２に係る動作タイミングｔ０〜ｔ３を示すタイミングチャートである。
保護区間内のＢ端至近端で事故が発生した場合を想定している。
事故発生時、事故電流は送電線１Ｌと送電線２Ｌでほぼ同量の事故電流が事故点に向かって流れ、Ａ端の送電線１Ｌを保護するための主保護の短絡回線選択継電器１５０Ｓは、送電線１Ｌと送電線２Ｌの差電流がないため動作しない。距離継電器１４４ＳＸ１は、ＤＺ１段保護範囲２３Ｂのため動作し、さらに距離継電器１４４ＳＸ２は動作しているが、タイマによってカウント中であるため、遮断器トリップ信号は出力しない。
Ｂ端の送電線１Ｌの主保護リレーは、A端の送電線２Ｌから流れた事故電流がＢ端の母線を経由して送電線１Ｌの全量事故点に向かって流れる。よって、主保護の短絡回線選択継電器１５０Ｓは動作する。また、距離継電器１４４ＳＸ１もＤＺ１段保護範囲２３Ｂのため動作する。
Ｂ端は送電線１Ｌの遮断器ＣＢ３が動作するが、Ａ端の遮断器ＣＢ１は動作しない。その後、事故電流はＡ端の送電線１Ｌを通って全量事故点に向かって流れる。それによって、主保護の短絡回線選択継電器１５０Ｓは動作する。距離継電器１４４ＳＸ２は動作するが、タイマによってカウント中であるため、遮断器トリップ信号は出力しない。
【０１４７】
第２事故＃２で短絡事故が発生すると、送電線１Ｌが接続されているＡ端子では、タイミングｔ２〜ｔ３の間、回線選択保護継電装置１１Ａに設けられた主保護系の短絡回線選択継電器１５０Ｓが動作することにより遮断器ＣＢ１を遮断する。
ここで、タイミングｔ１〜ｔ３の間、回線選択保護継電装置１１Ａに設けられた後備保護系の送電線１Ｌに対応した距離継電器１４４ＳＸ２が起動するが、短絡回線選択継電器１５０Ｓが動作して遮断器ＣＢ１を遮断したため復帰する。
一方、送電線１Ｌが接続されているＢ端子では、タイミングｔ１〜ｔ２の間、回線選択保護継電装置１１Ｂに設けられた主保護系の短絡回線選択継電器１５０Ｓが動作することにより遮断器ＣＢ３を遮断する。
ここで、タイミングｔ１〜ｔ２の間、回線選択保護継電装置１１Ｂに設けられた後備保護系の送電線１Ｌに対応した距離継電器１４４ＳＸ１が動作する。
【０１４８】
＜第２事故＃２における回線選択保護継電装置１１Ａの動作のまとめと効果＞
第２事故＃２で短絡事故が発生すると、送電線１Ｌが接続されているＡ端子では、回線選択保護継電装置１１Ａは、タイミングｔ２〜ｔ３の間、主保護系の短絡回線選択継電器１５０Ｓが動作することにより遮断器ＣＢ１を遮断する。
ここで、タイミングｔ１〜ｔ３の間、後備保護系の送電線１Ｌに対応した距離継電器１４４ＳＸ２が起動するが、短絡回線選択継電器１５０Ｓが動作して遮断器ＣＢ３を遮断したため復帰する。
詳しくは、１４４ＳＸ２信号と１４４ＳＭ信号とのＡＮＤ１２による論理積が真値に切り替わった場合に、この論理積の真値と事故検出信号とのＡＮＤ１３による第２論理積が真値になったときに、１Ｌトリップ信号を生成し、ＡＮＤ１３による第２論理積が偽値になったときに、１Ｌトリップ信号の生成を中止することができる。
【０１４９】
＜第２事故＃２における回線選択保護継電装置１１Ｂの動作のまとめと効果＞
送電線１Ｌが接続されているＢ端子では、回線選択保護継電装置１１Ｂは、タイミングｔ１〜ｔ２の間、主保護系の短絡回線選択継電器１５０Ｓが動作することにより遮断器ＣＢ３を遮断する。
ここで、タイミングｔ１〜ｔ２の間、後備保護系の送電線１Ｌに対応した距離継電器１４４ＳＸ１が動作する。
詳しくは、１４４ＳＸ１信号と、１４４ＳＭ信号とのＡＮＤ３２による論理積が真値に切り替わった場合に、第１時間を経過した後の真値に基づいて後備保護第１段トリップ信号を生成することができ、遮断器の不要な動作遅延を低減することができる。
【０１５０】
＜第１事故＃１での動作タイミング＞
次に、図３０は、本発明の一実施形態に係るＡ端子に設けられた回線選択保護継電装置１１Ａ及びＢ端子に設けられた回線選択保護継電装置１１Ｂが対応可能な第１事故＃１に係る動作タイミングｔ０〜ｔ２を示すタイミングチャートである。
保護区間内の中間地点で事故が発生した場合を想定している。
Ａ端の送電線１Ｌのリレーは、主保護の短絡回線選択継電器１５０Ｓと距離継電器１４４ＳＸ１（最初の１は送電線１Ｌを意味し、タイムチャートでは省略している場合がある）が動作する。しかし、距離継電器１４４ＳＸ２は動作しない。
Ｂ端の送電線１Ｌのリレーは、主保護の短絡回線選択継電器１５０Ｓと距離継電器１４４ＳＸ１が動作する。距離継電器１４４ＳＸ２は動作しない。
したがって、Ａ端、Ｂ端とも同時に送電線１Ｌの遮断器ＣＢ１、ＣＢ３が動作する。
【０１５１】
第１事故＃１で短絡事故が発生すると、送電線１Ｌが接続されているＡ端子では、タイミングｔ１〜ｔ２の間、回線選択保護継電装置１１Ａに設けられた主保護系の短絡回線選択継電器１５０Ｓが動作することにより遮断器ＣＢ１を遮断する。
ここで、タイミングｔ１〜ｔ２の間、回線選択保護継電装置１１Ａに設けられた後備保護系の送電線１Ｌに対応した距離継電器４４ＳＸ１が動作して遮断器ＣＢ１を遮断する。
一方、送電線１Ｌが接続されているＢ端子では、タイミングｔ１〜ｔ２の間、回線選択保護継電装置１１Ｂに設けられた主保護系の短絡回線選択継電器１５０Ｓが動作することにより遮断器ＣＢ３を遮断する。
ここで、タイミングｔ１〜ｔ２の間、回線選択保護継電装置１１Ｂに設けられた後備保護系の送電線１Ｌに対応した距離継電器１４４ＳＸ１が動作して遮断器ＣＢ３を遮断する。
【０１５２】
＜第１事故＃１における回線選択保護継電装置１１Ａの動作のまとめと効果＞
第１事故＃１で短絡事故が発生すると、送電線１Ｌが接続されているＡ端子では、回線選択保護継電装置１１Ａは、タイミングｔ１〜ｔ２の間、主保護系の短絡回線選択継電器５０Ｓが動作することにより遮断器ＣＢ１を遮断する。
ここで、タイミングｔ１〜ｔ２の間、後備保護系の送電線１Ｌに対応した距離継電器１４４ＳＸ１が動作して遮断器ＣＢ１を遮断する。
詳しくは、１４４ＳＸ１信号と、１４４ＳＭ信号とのＡＮＤ３２による論理積が真値に切り替わった場合に、第１時間を経過した後の真値に基づいて後備保護第１段トリップ信号を生成することができ、遮断器の不要な動作遅延を低減することができる。
【０１５３】
＜第１事故＃１における回線選択保護継電装置１１Ｂの動作のまとめと効果＞
一方、送電線１Ｌが接続されているＢ端子では、回線選択保護継電装置１１Ｂは、タイミングｔ１〜ｔ２の間、主保護系の短絡回線選択継電器５０Ｓが動作することにより遮断器ＣＢ３を遮断する。
ここで、タイミングｔ１〜ｔ２の間、後備保護系の送電線１Ｌに対応した距離継電器１４４ＳＸ１が動作して遮断器ＣＢ３を遮断する。
詳しくは、１４４ＳＸ１信号と、１４４ＳＭ信号とのＡＮＤ３２による論理積が真値に切り替わった場合に、第１時間を経過した後の真値に基づいて後備保護第１段トリップ信号を生成することができ、遮断器の不要な動作遅延を低減することができる。
【０１５４】
本実施の形態によれば、継電機能演算部１１ｄが、Ａ端子又はＢ端子から分岐送電線であるＢ線Ｃ線上の事故点までの距離に比例するインピーダンスのうちのリアクタンス成分値Ｘに基づいて、１４４ＳＸ１信号、及び１４４ＳＸ１信号よりも広範囲の１４４ＳＸ２信号を生成する。事故検出シーケンス部１１ｅが、１４４ＳＸ１信号が無効、且つ１４４ＳＸ２信号が有効な場合には１５０Ｓ信号を所定時間だけ遅延させてトリップ制御信号を生成し、１４４ＳＸ２信号が所定時間内に無効になったときには、トリップ制御信号の生成を中止する。
これにより、並行２回線送電線の保護区間内に発生した内部事故に対しては遮断器の不要な動作遅延を低減し、並行２回線送電線のうちの送電線１Ｌ上の分岐点から分岐された送電線に接続された端子から引出された送電線上での事故があった場合でも、並行２回線送電線の端子に設けられた送電線保護リレーの動作時における遮断器の不要な動作遅延を低減することができる。
【０１５５】
また、本実施の形態によれば、並行２回線送電線システム１が、第１態様乃至第８態様の何れか１つに記載の回線選択保護継電装置１１Ａ、１１Ｂと、Ａ端子側に配置され、送電線１Ｌを遮断可能に母線３Ａに接続する遮断器ＣＢ１と、Ａ端子側に配置され、送電線２Ｌを遮断可能に母線３Ａに接続する遮断器ＣＢ２と、Ｂ端子側に配置され、送電線１Ｌを遮断可能に母線３Ｂに接続する遮断器ＣＢ３と、Ｂ端子側に配置され、送電線２Ｌを遮断可能に母線３Ｂに接続する遮断器ＣＢ４と、送電線１Ｌ上にある分岐点Ｅから分岐して接続された分岐送電線であるＢ線と、分岐点Ｅから遠方のＣ端子の近方側に配置され、分岐送電線であるＢ線を遮断可能に接続する遮断器ＣＢ５と、Ｃ端子の遠方側に配置され、分岐送電線であるＣ線を遮断可能に接続する遮断器ＣＢ６と、を備える。
これにより、並行２回線送電線システム１において、並行２回線送電線の保護区間内に発生した内部事故に対しては遮断器の不要な動作遅延を低減し、並行２回線送電線のうちの送電線１Ｌ上の分岐点から分岐された送電線に接続された端子から引出された送電線上での事故があった場合でも、並行２回線送電線の端子に設けられた送電線保護リレーの動作時における遮断器の不要な動作遅延を低減することができる。
【０１５６】
＜本発明の実施態様例の構成、作用、効果＞
＜第１態様＞
本態様の回線選択保護継電装置１１Ａ、１１Ｂは、電気所のＡ端子に敷設された母線３Ａを介して並行に接続され、且つＡ端子から遠方のＢ端子に接続される送電線１Ｌ、及び送電線２Ｌと、Ｂ端子に敷設され、且つ送電線１Ｌ、及び送電線２Ｌに接続される母線３Ｂと、を備えた並行２回線送電線において、Ａ端子側、及びＢ端子側に配置され、送電線１Ｌ上にある分岐点Ｅから分岐した分岐送電線であるＢ線、又はC端から引き出されたＣ線に事故が発生した場合に、事故時に保護すべき送電線１Ｌ又は送電線２Ｌを選択する回線選択保護継電装置１１Ａ、１１Ｂであって、母線３Ａ、母線３Ｂから取得した電圧データ、送電線１Ｌ、及び送電線２Ｌから取得した電流データに基づいて事故を判定する継電機能演算部１１ｄと、継電機能演算部１１ｄにより判定された事故に係る信号に基づいて、論理処理を行ってトリップ制御信号を生成する事故検出シーケンス部１１ｅと、トリップ制御信号に応じて遮断指令を生成するＤ／Ｏ遮断制御部１１ｆと、を備え、継電機能演算部１１ｄは、Ａ端子又はＢ端子から分岐送電線であるＢ線、C端から引き出されたＣ線上の事故点までの距離に比例するインピーダンスのうちのリアクタンス成分値Ｘに基づいて、送電線１Ｌの１４４ＳＸ１信号、及び１４４ＳＸ１信号よりも広範囲の１４４ＳＸ２信号及び送電線２Ｌの２４４ＳＸ２信号を生成し、事故検出シーケンス部１１ｅは、１４４ＳＸ１信号が無効、且つ１４４ＳＸ２信号及び２４４ＳＸ２信号が有効な場合には１５０Ｓ信号を所定時間だけ遅延させてトリップ制御信号を生成し、１４４ＳＸ２信号または２４４ＳＸ２信号が所定時間内に無効になったときには、主保護１５０Ｓトリップ制御信号の生成を中止することを特徴とする。
本態様によれば、継電機能演算部１１ｄが、Ａ端子又はＢ端子から分岐送電線であるＢ線、C端から引き出されたＣ線上の事故点までの距離に比例するインピーダンスのうちのリアクタンス成分値Ｘに基づいて、送電線１Ｌの１４４ＳＸ１信号、及び１４４ＳＸ１信号よりも広範囲の１４４ＳＸ２信号及び送電線２Ｌの２４４ＳＸ２信号を生成する。事故検出シーケンス部１１ｅが、１４４ＳＸ１信号が無効、且つ１４４ＳＸ２信号及び２４４ＳＸ２信号が有効な場合には１５０ＳＴＢ信号を所定時間だけ遅延させて主保護１５０Ｓトリップ制御信号を生成し、１５０ＳＴＢ信号が所定時間内に無効になったときには、主保護１５０Ｓトリップ制御信号の生成を中止する。
これにより、並行２回線送電線の保護区間内に発生した内部事故に対しては遮断器の不要な動作遅延を低減し、並行２回線送電線のうちの送電線１Ｌ上の分岐点から分岐された送電線に接続された端子から引出された送電線上での事故があった場合でも、並行２回線送電線の端子に設けられた送電線保護リレーの動作時における遮断器の不要な動作遅延を低減することができる。
【０１５７】
＜第２態様＞
本態様の回線選択保護継電装置１１ＡがＡ端子側に配置された場合に、継電機能演算部１１ｄは、Ａ端子から至近端端子（例えばＣ端）までのリアクタンス成分値を基準リアクタンス成分値とし、１４４ＳＸ１信号はＡ端子から分岐送電線上の事故点までのリアクタンス成分値が基準リアクタンス成分値以内（７５％〜８５％）にあることを表し、
１４４ＳＸ２信号はＡ端子から至遠端端子（例えばＢ端）のリアクタンス成分値が基準リアクタンス成分値を超えた範囲（１２０％〜１５０％）にあることを表すことを特徴とする。
本態様によれば、継電機能演算部１１ｄが、Ａ端子からＢ端子までのリアクタンス成分値を基準リアクタンス成分値とし、１４４ＳＸ１信号はＡ端子から至近端端子（例えばＣ端）までのリアクタンス成分値が基準リアクタンス成分値以内（７５％〜８５％）にあることを表し、１４４ＳＸ２信号及び２４４ＳＸ２信号はＡ端子から至遠端端子（例えばＢ端）までのリアクタンス成分値が基準リアクタンス成分値を超えた範囲（１２０％〜１５０％）にあることを表す。
これにより、事故検出シーケンス部１１ｅが、送電線１Ｌの１４４ＳＸ１信号（基準リアクタンス成分値以内（７５％〜８５％）が無効、且つ１４４ＳＸ２信号（基準リアクタンス成分値を超えた範囲（１２０％〜１５０％）及び送電線２Ｌの２４４ＳＸ２信号（基準リアクタンス成分値を超えた範囲（１２０％〜１５０％））が有効な場合には、事故点が基準リアクタンス成分値の範囲（１２０％〜１５０％）であるので、１５０Ｓ信号を所定時間だけ遅延させてトリップ制御信号を生成し、１５０Ｓ信号が所定時間内に無効になったときには、主保護１５０Ｓトリップ制御信号の生成を中止することができる。
【０１５８】
＜第３態様＞
本態様の回線選択保護継電装置１１Ｂが、Ｂ端子側に配置された場合に、継電機能演算部１１ｄは、Ａ端子からＢ端子までのリアクタンス成分値を基準リアクタンス成分値とし、１４４ＳＸ１信号はＢ端子から至近端端子（例えばＤ端）までのリアクタンス成分値が基準リアクタンス成分値以内（７５％〜８５％）にあることを表し、
１４４ＳＸ２信号はＢ端子から至遠端端子（例えばＡ端）までのリアクタンス成分値が基準リアクタンス成分値を超えた範囲（１２０％〜１５０％）にあることを表し、２４４ＳＸ２信号はＢ端子から至遠端端子（例えばＡ端）までのリアクタンス成分値が基準リアクタンス成分値を超えた範囲（１２０％〜１５０％））にあることを表すことを特徴とする。
本態様によれば、継電機能演算部１１ｄが、Ｂ端子からＡ端子までのリアクタンス成分値を基準リアクタンス成分値とし、１４４ＳＸ１信号はＢ端子から至遠端端子（例えばＡ端）までのリアクタンス成分値が基準リアクタンス成分値以内（７５％〜８５％）にあることを表し、１４４ＳＸ２信号はＢ端子から至遠端端子（例えばＡ端）までのリアクタンス成分値が基準リアクタンス成分値を超えた範囲（１２０％〜１５０％）及び送電線の２４４ＳＸ２信号（基準リアクタンス成分値を超えた範囲（１２０％〜１５０％））にあることを表す。
これにより、第４事故＃４が発生した場合に、事故検出シーケンス部１１ｅが、１４４ＳＸ１信号（基準リアクタンス成分値以内（７５％〜８５％））が無効、且つ１４４ＳＸ２信号（基準リアクタンス成分値を超えた範囲（１２０％〜１５０％）及び２４４ＳＸ２信号（基準リアクタンス成分値を超えた範囲（１２０％〜１５０％））が有効な場合には、事故点が基準リアクタンス成分値の範囲（１２０％〜１５０％）であるので、１５０Ｓ信号を所定時間だけ遅延させてトリップ制御信号を生成し、１５０Ｓ信号が所定時間内に無効になったときには、主保護１５０Ｓトリップ制御信号の生成を中止することができる。
【０１５９】
＜第４態様＞
本態様の継電機能演算部１１ｄは、Ａ端子からＢ端子までのインピーダンスを基準インピーダンスとし、Ａ端子又はＢ端子から分岐送電線であるＣ線上の事故点までのインピーダンスが後備保護第３段整定（基準インピーダンスの（２５０％〜３５０％）範囲内）にあることを表す１４４ＳＭ信号を生成し、
事故検出シーケンス部１１ｅは、１４４ＳＸ１信号と、１４４ＳＭ信号とのＡＮＤ３２による論理積が真値に切り替わった場合に、第１時間を経過した後の真値に基づいて後備保護第１段トリップ信号を生成することを特徴とする。
本態様によれば、継電機能演算部１１ｄが、Ａ端子からＢ端子までのインピーダンスを基準インピーダンスとし、Ａ端子又はＢ端子から分岐送電線であるＣ線上の事故点までのインピーダンスが後備保護第３段整定（基準インピーダンスの（２５０％〜３５０％）範囲内）にあることを表す１４４ＳＭ信号を生成する。事故検出シーケンス部１１ｅが、１４４ＳＸ１信号と、１４４ＳＭ信号とのＡＮＤ３２による論理積が真値に切り替わった場合に、第１時間を経過した後の真値に基づいて後備保護第１段トリップ信号を生成する。
これにより、１４４ＳＸ１信号と、１４４ＳＭ信号とのＡＮＤ３２による論理積が真値に切り替わった場合に、第１時間を経過した後の真値に基づいて後備保護第１段トリップ信号を生成することができる。
【０１６０】
＜第５態様＞
本態様の継電機能演算部１１ｄは、Ａ端子からＢ端子までのインピーダンスを基準インピーダンスとし、Ａ端子又はＢ端子から分岐送電線であるＣ線上の事故点までのインピーダンスが後備保護第３段整定（基準インピーダンスの（２５０％〜３５０％）範囲内）にあることを表す１４４ＳＭ信号を生成し、事故検出シーケンス部１１ｅは、１４４ＳＸ２信号と、１４４ＳＭ信号を第２時間だけ経過させた信号とのＡＮＤ３１による論理積が真値に切り替わった場合に、真値に基づいて後備保護第２段トリップ信号を生成することを特徴とする。
本態様によれば、継電機能演算部１１ｄが、Ａ端子からＢ端子までのインピーダンスを基準インピーダンスとし、Ａ端子又はＢ端子から分岐送電線であるＣ線上の事故点までのインピーダンスが後備保護第３段整定（基準インピーダンスの（２５０％〜３５０％）範囲内）にあることを表す１４４ＳＭ信号を生成する。事故検出シーケンス部１１ｅが、１４４ＳＸ２信号と、１４４ＳＭ信号を第２時間だけ経過させた信号とのＡＮＤ３１による論理積が真値に切り替わった場合に、真値に基づいて第２段トリップ信号を生成する。
これにより、１４４ＳＸ２信号と、１４４ＳＭ信号を第２時間だけ経過させた信号とのＡＮＤ３１による論理積が真値に切り替わった場合に、真値に基づいて後備保護第２段トリップ信号を生成することができる。
【０１６１】
＜第６態様＞
本態様の継電機能演算部１１ｄは、Ａ端子からＢ端子までのインピーダンスを基準インピーダンスとし、Ａ端子又はＢ端子から分岐送電線であるＣ線上の事故点までのインピーダンスが後備保護第３段整定（基準インピーダンスの（２５０％〜３５０％）範囲内）にあることを表す１４４ＳＭ信号を生成し、事故検出シーケンス部１１ｅは、１４４ＳＭ信号が真値に切り替わった場合に、第３時間だけ経過させた真値に基づいて後備保護第３段トリップ信号を生成することを特徴とする。
本態様によれば、継電機能演算部１１ｄが、Ａ端子からＢ端子までのインピーダンスを基準インピーダンスとし、Ａ端子又はＢ端子から分岐送電線であるＣ線上の事故点までのインピーダンスが後備保護第３段整定（基準インピーダンスの（２５０％〜３５０％）範囲内）にあることを表す１４４ＳＭ信号を生成する。事故検出シーケンス部１１ｅが、１４４ＳＭ信号が真値に切り替わった場合に、第３時間だけ経過させた真値に基づいて後備保護第３段トリップ信号を生成する。
これにより、１４４ＳＭ信号が真値に切り替わった場合に、第３時間だけ経過させた真値に基づいて後備保護第３段トリップ信号を生成することができる。
【０１６２】
＜第７態様＞
本態様の並行２回線送電線システム１は、第１態様乃至第８態様の何れか１つに記載の回線選択保護継電装置１１Ａ、１１Ｂと、Ａ端子側に配置され、送電線１Ｌを遮断可能に母線３Ａに接続する遮断器ＣＢ１と、Ａ端子側に配置され、送電線２Ｌを遮断可能に母線３Ａに接続する遮断器ＣＢ２と、Ｂ端子側に配置され、送電線１Ｌを遮断可能に母線３Ｂに接続する遮断器ＣＢ３と、Ｂ端子側に配置され、送電線２Ｌを遮断可能に母線３Ｂに接続する遮断器ＣＢ４と、送電線１Ｌ上にある分岐点Ｅから分岐して接続された分岐送電線であるＢ線と、分岐点Ｅから遠方のＣ端子の近方側に配置され、分岐送電線であるＢ線を遮断可能に接続する遮断器ＣＢ５と、Ｃ端子の遠方側に配置され、分岐送電線であるＣ線を遮断可能に接続する遮断器ＣＢ６と、を備えたことを特徴とする。
本態様によれば、並行２回線送電線システム１が、第１態様乃至第８態様の何れか１つに記載の回線選択保護継電装置１１Ａ、１１Ｂと、Ａ端子側に配置され、送電線１Ｌを遮断可能に母線３Ａに接続する遮断器ＣＢ１と、Ａ端子側に配置され、送電線２Ｌを遮断可能に母線３Ａに接続する遮断器ＣＢ２と、Ｂ端子側に配置され、送電線１Ｌを遮断可能に母線３Ｂに接続する遮断器ＣＢ３と、Ｂ端子側に配置され、送電線２Ｌを遮断可能に母線３Ｂに接続する遮断器ＣＢ４と、送電線１Ｌ上にある分岐点Ｅから分岐して接続された分岐送電線であるＢ線と、分岐点Ｅから遠方のＣ端子の近方側に配置され、分岐送電線であるＢ線を遮断可能に接続する遮断器ＣＢ５と、Ｃ端子の遠方側に配置され、分岐送電線であるＣ線を遮断可能に接続する遮断器ＣＢ６と、を備える。
これにより、並行２回線送電線システム１において、並行２回線送電線の保護区間内に発生した内部事故に対しては遮断器の不要な動作遅延を低減し、並行２回線送電線のうちの送電線１Ｌ上の分岐点から分岐された送電線に接続された端子から引出された送電線上での事故があった場合でも、並行２回線送電線の端子に設けられた送電線保護リレーの動作時における遮断器の不要な動作遅延を低減することができる。
【０１６３】
なお、上述した本発明の一実施形態では、並行２回線送電線１Ｌ上の分岐点Ｅから分岐送電線について説明したが、並行２回線送電線２Ｌ上の分岐点Ｅから分岐送電線においても同様の機能を持たせることができる。
また、上述した本発明の一実施形態では、短絡事故について説明したが、分岐送電線上に発生する地絡事故に関しても同様の機能を持つことができる。
さらに、並行２回線送電線１Ｌまたは並行２回線送電線２Ｌ上に複数の分岐送電線が分岐した場合においても、同様の機能を持つことができる。
【符号の説明】
【０１６４】
１…並行２回線送電線保護システム、１１Ａ…回線選択保護継電装置、１１ｅ…事故検出シーケンス部、１１ｆ…Ｄ／Ｏ遮断制御部、１１Ｂ…回線選択保護継電装置、１５…保護継電装置、１Ｌ…送電線１Ｌ、２Ｌ…送電線２Ｌ、３Ａ…母線、３Ｂ…母線、ＣＢ１〜６…遮断器
【図１】
2019068571.tif 000004
【図２】
2019068571.tif 000005
【図３】
2019068571.tif 000006
【図４】
2019068571.tif 000007
【図５】
2019068571.tif 000008
【図６】
2019068571.tif 000009
【図７】
2019068571.tif 000010
【図８】
2019068571.tif 000011
【図９】
2019068571.tif 000012
【図１０】
2019068571.tif 000013
【図１１】
2019068571.tif 000014
【図１２】
2019068571.tif 000015
【図１３】
2019068571.tif 000016
【図１４】
2019068571.tif 000017
【図１５】
2019068571.tif 000018
【図１６】
2019068571.tif 000019
【図１７】
2019068571.tif 000020
【図１８】
2019068571.tif 000021
【図１９】
2019068571.tif 000022
【図２０】
2019068571.tif 000023
【図２１】
2019068571.tif 000024
【図２２】
2019068571.tif 000025
【図２３】
2019068571.tif 000026
【図２４】
2019068571.tif 000027
【図２５】
2019068571.tif 000028
【図２６】
2019068571.tif 000029
【図２７】
2019068571.tif 000030
【図２８】
2019068571.tif 000031
【図２９】
2019068571.tif 000032
【図３０】
2019068571.tif 000033
【図３１】
2019068571.tif 000034